(57)【要約】  送信端末１はコンテンツのキャプチャ指示を受け付ける。送信端末１はコンテンツの特定シーンをキャプチャしてキャプチャ画像を取得する。送信端末１はキャプチャ画像のシーン識別情報を受信端末２に送信する。送信端末１は伝達情報の入力を受け付ける。送信端末１は伝達情報を受信端末２に送信する。受信端末２はシーン識別情報を受信する。受信端末２はシーン識別情報に基づいて特定シーンをキャプチャしてキャプチャ画像を取得する。受信端末２は送信端末１から伝達情報を受信する。受信端末２は伝達情報とキャプチャ画像とを合成する。
2013065221.tif 000002
【特許請求の範囲】
【請求項１】
動画コンテンツを再生する再生部と、
前記再生部で再生された動画コンテンツを表示する表示部と、
前記表示された動画コンテンツのうちいずれかのシーンを示す画像をキャプチャするメモリと、
前記キャプチャされた画像に関連する伝達情報の入力を受け付ける受付部と、
前記メモリでキャプチャされた画像を特定する情報であるシーン特定情報を生成しまたは取得するプロセッサと、
前記伝達情報とその伝達情報に関連する画像を特定するシーン特定情報とを受信端末に対して送信する送信部と、を備える送信端末であって、
前記受信端末は、前記再生部で再生された動画コンテンツを前記送信端末とは異なる別のソースから入手し、前記入手した動画コンテンツのうち前記送信部から受信したシーン特定情報で特定されるシーンを示す画像をキャプチャし、前記キャプチャされた画像とともに前記送信部から受信した伝達情報を表示する、
送信端末。
【請求項２】
動画コンテンツを再生する再生部と、
前記再生部で再生された動画コンテンツを表示する表示部と、
伝達情報とその伝達情報に関連する画像を特定するシーン特定情報とを送信端末から受信する受信部と、
前記表示された動画コンテンツのうち、前記送信端末から受信したシーン特定情報で特定されるシーンを示す画像をキャプチャするメモリと、を備える受信端末であって、
前記表示部は、前記キャプチャされた画像とともに前記送信端末から受信した伝達情報を表示し、
前記送信端末は、前記再生部で再生された動画コンテンツを前記受信端末とは異なる別のソースから入手し、前記入手した動画コンテンツのうちいずれかのシーンを示す画像をキャプチャし、前記キャプチャされた画像に関連する伝達情報の入力を受け付け、前記キャプチャされた画像を特定する情報であるシーン特定情報を生成しまたは取得し、前記伝達情報とその伝達情報に関連する画像を特定するシーン特定情報とを前記受信端末に対して送信する、
受信端末。
【請求項３】
前記送信端末の前記送信部は、前記伝達情報および前記シーン特定情報を、管理サーバを介して前記受信端末に対して送信し、
前記受信端末は、前記管理サーバを介して、前記伝達情報および前記シーン特定情報を前記送信部から受信する、
請求項１に記載の送信端末。
【請求項４】
前記送信端末は、前記伝達情報および前記シーン特定情報を、管理サーバを介して前記受信端末に対して送信し、
前記受信端末の前記受信部は、管理サーバを介して、前記伝達情報および前記シーン特定情報を前記送信端末から受信する、
請求項２に記載の受信端末。
【請求項５】
前記送信端末は、前記動画コンテンツの一部または全部を一時的に記憶するバッファ部をさらに備え、前記メモリは前記バッファ部に記憶された動画コンテンツ中のシーンをキャプチャする、
請求項１または３に記載の送信端末。
【請求項６】
前記受信端末は、前記動画コンテンツの一部または全部を一時的に記憶するバッファ部をさらに備え、前記メモリは前記バッファ部に記憶された動画コンテンツ中のシーンをキャプチャする、
請求項２または４に記載の受信端末。
【請求項７】
前記送信端末または前記受信端末は、前記動画コンテンツを受信するコンテンツ受信部をさらに備える、
請求項１、３または５のいずれか一項に記載の送信端末。
【請求項８】
前記送信端末または前記受信端末は、前記動画コンテンツを受信するコンテンツ受信部をさらに備える、
請求項２、４または６のいずれか一項に記載の受信端末。
【請求項９】
前記送信端末は、第１送信端末および第２送信端末を含み、
前記第１送信端末は、前記再生部と、前記表示部と、を備え、
前記第２送信端末は、前記メモリと、前記受付部と、を備える、
請求項１、３、５または７のいずれか一項に記載の送信端末。
【請求項１０】
前記受信端末は、第１受信端末および第２受信端末を含み、
前記第１受信端末は、前記再生部と、前記受信部と、を備え、
前記第２受信端末は、前記表示部と、前記メモリと、を備える、
請求項２、４、６または８のいずれか一項に記載の受信端末。
【請求項１１】
前記シーン識別情報は、前記送信端末により発行された識別番号を含む、
請求項１、３、５、７または９のいずれか一項に記載の送信端末。
【請求項１２】
前記シーン識別情報は、前記送信端末により発行された識別番号を含む、
請求項２、４、６、８または１０のいずれか一項に記載の受信端末。
【請求項１３】
前記伝達情報は、前記受信端末においてクイズを出題するためのクイズ情報である、
請求項１、３、５、７、９または１１のいずれか一項に記載の送信端末。
【請求項１４】
前記伝達情報は、前記受信端末においてクイズを出題するためのクイズ情報である、
請求項２、４、６、８、１０または１２のいずれか一項に記載の受信端末。
【請求項１５】
前記伝達情報は、前記受信端末において広告を視聴させるための広告情報である、
請求項１、３、５、７、９または１１のいずれか一項に記載の送信端末。
【請求項１６】
前記伝達情報は、前記受信端末において広告を視聴させるための広告情報である、
請求項２、４、６、８、１０または１２のいずれか一項に記載の受信端末。
【請求項１７】
前記伝達情報は、前記受信端末においてゲームを実行するためのゲーム情報である、
請求項１、３、５、７、９または１１のいずれか一項に記載の送信端末。
【請求項１８】
前記伝達情報は、前記受信端末においてゲームを実行するためのゲーム情報である、
請求項２、４、６、８、１０または１２のいずれか一項に記載の受信端末。
【請求項１９】
送信端末を、コンピュータを用いて実現するためのプログラムであって、
動画コンテンツを再生する再生処理と、
前記再生処理で再生された動画コンテンツを表示する表示処理と、
前記表示された動画コンテンツのうちいずれかのシーンを示す画像をメモリにキャプチャする処理と、
前記キャプチャされた画像に関連する伝達情報の入力を受け付ける受付処理と、
前記メモリでキャプチャされた画像を特定する情報であるシーン特定情報を生成しまたは取得する処理と、
前記伝達情報とその伝達情報に関連する画像を特定するシーン特定情報とを受信端末に対して送信する送信処理と、を前記コンピュータに実行させ、
前記受信端末は、前記送信端末で再生された動画コンテンツを前記送信端末とは異なる別のソースから入手し、前記入手した動画コンテンツのうち前記送信端末から受信したシーン特定情報で特定されるシーンを示す画像をキャプチャし、前記キャプチャされた画像とともに前記送信端末から受信した伝達情報を表示する、
プログラム。
【請求項２０】
受信端末を、コンピュータを用いて実現するためのプログラムであって、
動画コンテンツを再生する再生処理と、
前記再生処理で再生された動画コンテンツを表示する表示処理と、
伝達情報とその伝達情報に関連する画像を特定するシーン特定情報とを送信端末から受信する受信処理と、
前記表示された動画コンテンツのうち、前記送信端末から受信したシーン特定情報で特定されるシーンを示す画像をメモリにキャプチャする処理と、を前記コンピュータに実行させ、
前記表示処理は、前記キャプチャされた画像とともに前記送信端末から受信した伝達情報を表示し、
前記送信端末は、前記受信端末で再生された動画コンテンツを前記受信端末とは異なる別のソースから入手し、前記入手した動画コンテンツのうちいずれかのシーンを示す画像をキャプチャし、前記キャプチャされた画像に関連する伝達情報の入力を受け付け、前記キャプチャされた画像を特定する情報であるシーン特定情報を生成しまたは取得し、前記伝達情報とその伝達情報に関連する画像を特定するシーン特定情報とを前記受信端末に対して送信する、
プログラム。
【請求項２１】
送信端末と受信端末とを用いた情報伝達方法であって、
前記送信端末は、
動画コンテンツを再生する再生工程と、
前記再生工程で再生された動画コンテンツを表示する表示工程と、
前記表示された動画コンテンツのうちいずれかのシーンを示す画像をメモリにキャプチャする工程と、
前記キャプチャされた画像に関連する伝達情報の入力を受け付ける受付工程と、
前記メモリでキャプチャされた画像を特定する情報であるシーン特定情報を生成しまたは取得する工程と、
前記伝達情報とその伝達情報に関連する画像を特定するシーン特定情報とを受信端末に対して送信する送信工程と、を実行し、
前記受信端末は、前記送信端末で再生された動画コンテンツを前記送信端末とは異なる別のソースから入手し、前記入手した動画コンテンツのうち前記送信端末から受信したシーン特定情報で特定されるシーンを示す画像をキャプチャし、前記キャプチャされた画像とともに前記送信端末から受信した伝達情報を表示する、
情報伝達方法。
【請求項２２】
送信端末と受信端末とを用いた情報伝達方法であって、
前記受信端末は、
動画コンテンツを再生する再生工程と、
前記再生工程で再生された動画コンテンツを表示する表示工程と、
伝達情報とその伝達情報に関連する画像を特定するシーン特定情報とを送信端末から受信する受信工程と、
前記表示された動画コンテンツのうち、前記送信端末から受信したシーン特定情報で特定されるシーンを示す画像をメモリにキャプチャする工程と、を実行し、
前記表示工程は、前記キャプチャされた画像とともに前記送信端末から受信した伝達情報を表示し、
前記送信端末は、前記受信端末で再生された動画コンテンツを前記受信端末とは異なる別のソースから入手し、前記入手した動画コンテンツのうちいずれかのシーンを示す画像をキャプチャし、前記キャプチャされた画像に関連する伝達情報の入力を受け付け、前記キャプチャされた画像を特定する情報であるシーン特定情報を生成しまたは取得し、前記伝達情報とその伝達情報に関連する画像を特定するシーン特定情報とを前記受信端末に対して送信する、
情報伝達方法。
【発明の詳細な説明】
【技術分野】
【０００１】
本発明は、送信端末で入力された情報を受信端末に伝達する情報伝達方法に関する。
【背景技術】
【０００２】
近年、各ユーザのコメントを、動画上にオーバレイ表示したり、動画の下に一覧表示したりして、ユーザ同士が動画を介してコミュニケーションできる動画共有サービスが注目されている。しかし、このような動画共有サービスは、テキストベースで入力されたコメントを動画の再生時刻に対応させて表示することを前提としているため、動画の特定シーンに表示されている人や物を直接指定してコメントを付すことは困難である。【０００３】
仮に、動画の特定シーンに表示されている人や物を直接指定してコメントを付そうとする場合、送信側ユーザ端末において、動画中の特定シーンをキャプチャして取り込んだキャプチャ画像に、自由曲線による手書き入力またはテキスト入力等による文字や図形等をコメントとして重畳させて、コメントが重畳されたキャプチャ画像をサーバや受信側ユーザ端末に送信することが考えられる。【０００４】
しかし、送信側ユーザ端末において、著作物である動画の特定シーンをキャプチャしたキャプチャ画像を含むデータをサーバや受信側ユーザ端末に送信することは、その著作権者の著作権に含まれる権利である公衆送信権または送信可能化権（例えば日本国著作権法第２３条第１項、第２条１項９号の５）等を侵害してしまうおそれがある。また、文字や図形等がコメントとして重畳されたキャプチャ画像のデータ量が大きい場合、通信ネットワークに負荷がかかるという問題もある。【０００５】
ところで、動画の著作権侵害および通信処理能力の制限に関する問題の解決を目的として、送信側ユーザ端末がコメントおよびコメント入力時点の経過時刻をサーバに送信し、受信側ユーザ端末がコメントおよびコメント入力時点の経過時刻をサーバから受信して、動画再生中の画面に経過時刻に対応するコメントを表示する、動画の視聴システムが知られている（例えば特許文献１参照）。
【先行技術文献】
【特許文献】
【０００６】
【特許文献１】特開２００９−９４６５３号公報
【発明の概要】
【発明が解決しようとする課題】
【０００７】
しかしながら、特許文献１では、受信側ユーザ端末がコンテンツを保持していることを前提として、コメントとコンテンツの特定シーンにおける経過時刻とを対応づけて表示するため、例えば受信側ユーザ端末が放送番組を録画していない場合、送信側ユーザからのコメントをコンテンツの特定シーンにおける経過時刻と対応付けて表示することができない。つまり、このような場合、送信側ユーザは、受信側ユーザに対して、コメントとコンテンツの特定シーンを用いた情報伝達を正確に行うことができない。【０００８】
また、特許文献１に示すように、送信側ユーザがコメントする全てのコンテンツを受信側ユーザ端末で録画することや、その録画したコンテンツを保持することは、受信側ユーザにとって煩雑である。【０００９】
さらに、特許文献１では、放送番組の放送終了後において、受信側ユーザが放送番組を視聴することを前提としているため、受信側ユーザは、放送番組に対する送信側ユーザのコメントを放送中にリアルタイムで確認することができない。【００１０】
本発明は、上記のような点に鑑みてなされたものであり、著作権侵害を回避するとともにネットワーク負荷を削減することを前提として、送信側ユーザからのコメントを含む伝達情報を正確かつリアルタイムに受信側ユーザに伝達し、かつ、受信側ユーザ端末においてコンテンツを録画することや、その録画したコンテンツを保持することの煩雑さを解消することのできる情報伝達方法を提供することを目的とする。
【課題を解決するための手段】
【００１１】
以下に開示する送信端末は、動画コンテンツを再生する再生部と、前記再生部で再生された動画コンテンツを表示する表示部と、前記表示された動画コンテンツのうちいずれかのシーンを示す画像をキャプチャするメモリと、前記キャプチャされた画像に関連する伝達情報の入力を受け付ける受付部と、前記メモリでキャプチャされた画像を特定する情報であるシーン特定情報を生成しまたは取得するプロセッサと、前記伝達情報とその伝達情報に関連する画像を特定するシーン特定情報とを受信端末に対して送信する送信部と、を備える送信端末であって、前記受信端末は、前記再生部で再生された動画コンテンツを前記送信端末とは異なる別のソースから入手し、前記入手した動画コンテンツのうち前記送信部から受信したシーン特定情報で特定されるシーンを示す画像をキャプチャし、前記キャプチャされた画像とともに前記送信部から受信した伝達情報を表示する。【００１２】
以下に開示する受信端末は、動画コンテンツを再生する再生部と、前記再生部で再生された動画コンテンツを表示する表示部と、伝達情報とその伝達情報に関連する画像を特定するシーン特定情報とを送信端末から受信する受信部と、前記表示された動画コンテンツのうち、前記送信端末から受信したシーン特定情報で特定されるシーンを示す画像をキャプチャするメモリと、を備える受信端末であって、前記表示部は、前記キャプチャされた画像とともに前記送信端末から受信した伝達情報を表示し、前記送信端末は、前記再生部で再生された動画コンテンツを前記受信端末とは異なる別のソースから入手し、前記入手した動画コンテンツのうちいずれかのシーンを示す画像をキャプチャし、前記キャプチャされた画像に関連する伝達情報の入力を受け付け、前記キャプチャされた画像を特定する情報であるシーン特定情報を生成しまたは取得し、前記伝達情報とその伝達情報に関連する画像を特定するシーン特定情報とを前記受信端末に対して送信する。【００１３】
以下に開示する情報伝達システムは、送信ユーザが有する送信端末と、当該送信端末と通信可能な受信端末であって受信ユーザが有する受信端末とを備える情報伝達システムであって、前記送信端末は、コンテンツ中の特定シーンを識別するシーン識別情報を、前記受信端末に送信するシーン識別情報送信部と、前記シーン識別情報に基づいてキャプチャしたキャプチャ画像と関連付けて表示させる伝達情報を、前記受信端末に送信する伝達情報送信部とを備え、前記受信端末は、前記送信端末から受信した前記シーン識別情報に基づいて、前記受信ユーザが視聴可能なコンテンツ中の特定シーンをキャプチャして、受信側キャプチャ画像を取得する受信側キャプチャ画像取得部と、前記送信端末から受信した前記伝達情報と、前記受信側キャプチャ画像とを合成する画像合成部とを備える。【００１４】
また、以下に開示する情報伝達システムは、送信端末と、当該送信端末と通信可能な受信端末とを備える情報伝達システムであって、前記送信端末は、ユーザが視聴中のリアルタイムコンテンツについて、前記ユーザからキャプチャ指示を受け付けるキャプチャ指示受付部と、前記キャプチャ指示に基づいて、前記リアルタイムコンテンツ中の特定シーンを少なくとも１つキャプチャして、送信側キャプチャ画像を取得する送信側キャプチャ画像取得部と、前記送信側キャプチャ画像の特定シーンを識別するシーン識別情報を、前記受信端末に送信するシーン識別情報送信部と、前記送信側キャプチャ画像に重畳して表示させる伝達情報の入力を前記ユーザから受け付ける伝達情報受付部と、前記伝達情報受付部にて入力を受け付けた前記伝達情報を、前記受信端末に送信する伝達情報送信部とを備え、前記受信端末は、前記送信端末からシーン識別情報を受信するシーン識別情報受信部と、受信した前記シーン識別情報に基づいて、前記リアルタイムコンテンツ中の特定シーンをキャプチャして、受信側キャプチャ画像を取得する受信側キャプチャ画像取得部と、前記送信端末から前記伝達情報を受信する伝達情報受信部と、受信した前記伝達情報を、前記受信側キャプチャ画像に重畳させる画像重畳部とを備える。【００１５】
また、以下に開示する情報伝達システムは、送信端末と、受信端末と、当該送信端末および当該受信端末と通信可能な管理サーバとを備える情報伝達システムであって、前記送信端末は、ユーザが視聴中のリアルタイムコンテンツについて、前記ユーザからキャプチャ指示を受け付けるキャプチャ指示受付部と、前記キャプチャ指示に基づいて、前記リアルタイムコンテンツ中の特定シーンを少なくとも１つキャプチャして、送信側キャプチャ画像を取得する送信側キャプチャ画像取得部と、前記送信側キャプチャ画像の特定シーンを識別するシーン識別情報を、前記管理サーバに送信するシーン識別情報送信部と、前記送信側キャプチャ画像に重畳して表示させる伝達情報の入力を前記ユーザから受け付ける伝達情報受付部と、前記伝達情報受付部にて入力を受け付けた前記伝達情報を、前記管理サーバに送信する伝達情報送信部とを備え、前記管理サーバは、前記送信端末から受信した前記シーン識別情報を、前記受信端末に配信するシーン識別情報配信部と、前記送信端末から受信した前記伝達情報を、前記受信端末に配信する伝達情報配信部とを備え、前記受信端末は、前記管理サーバからシーン識別情報を受信するシーン識別情報受信部と、受信した前記シーン識別情報に基づいて、前記リアルタイムコンテンツ中の特定シーンをキャプチャして、受信側キャプチャ画像を取得する受信側キャプチャ画像取得部と、前記管理サーバから前記伝達情報を受信する伝達情報受信部と、受信した前記伝達情報を、前記受信側キャプチャ画像に重畳させる画像重畳部とを備える。
【発明の効果】
【００１６】
本願明細書の開示によれば、著作権侵害を回避するとともにネットワーク負荷を削減することを前提として、送信側ユーザからのコメントを含む伝達情報を正確かつリアルタイムに受信側ユーザに伝達し、かつ、受信側ユーザ端末においてコンテンツを録画することや、その録画したコンテンツを保持することの煩雑さを解消することが可能となる。
【図面の簡単な説明】
【００１７】
【図１】図１は、第１の実施形態による情報伝達システムのシステム構成の一例を示す図である。
【図２】図２は、図１に示した第１送信端末２０を、ＣＰＵを用いて実現したハードウェア構成の一例を示す図である。
【図３】図３は、図１に示した第２送信端末３０を、ＣＰＵを用いて実現したハードウェア構成の一例を示す図である。
【図４】図４は、図１に示した受信端末２を、ＣＰＵを用いて実現したハードウェア構成の一例を示す図である。
【図５】図５は、送信端末１（第１送信端末２０および第２送信端末３０）が、リアルタイムコンテンツを視聴するユーザの伝達情報を、受信端末２に伝達する場合の処理を示すフローチャートの一例を示す図である。
【図６Ａ】図６Ａは、第１送信端末２０のディスプレイ２０１にリアルタイムコンテンツを表示させた場合の一例を示す図である。
【図６Ｂ】図６Ｂは、第２送信端末３０のタッチパネルディスプレイ３０１に表示画面を表示させた場合の一例を示す図である。
【図６Ｃ】図６Ｃは、第２送信端末３０のタッチパネルディスプレイ３０１にリアルタイムコンテンツのキャプチャ画像を表示させた場合の一例を示す図である。
【図７Ａ】図７Ａは、第１送信端末２０において保持されるキャプチャ画像データ２０５ｂの一例を示す図である。
【図７Ｂ】図７Ｂは、第１送信端末２０において保持されるキャプチャ画像データ２０５ｂの一例を示す図である。
【図８Ａ】図８Ａは、第１送信端末２０において保持されるシーン識別情報データ２０５ｃの一例を示す図である。
【図８Ｂ】図８Ｂは、第１送信端末２０において保持されるシーン識別情報データ２０５ｃの一例を示す図である。
【図９Ａ】図９Ａは、受信端末２において保持されるキャプチャ画像データ４０５ｂの一例を示す図である。
【図９Ｂ】図９Ｂは、受信端末２において保持されるキャプチャ画像データ４０５ｂの一例を示す図である。
【図１０Ａ】図１０Ａは、第２送信端末３０のタッチパネルディスプレイ３０１に表示されたキャプチャ画像に関する伝達情報を入力した場合の一例を示す図である。
【図１０Ｂ】図１０Ｂは、第２送信端末３０のタッチパネルディスプレイ３０１上においてユーザが入力した伝達情報の一例を示す図である。
【図１１Ａ】図１１Ａは、第２送信端末３０において保持される伝達情報データ３０５ｃの一例を示す図である。
【図１１Ｂ】図１１Ｂは、第２送信端末３０において保持される伝達情報データ３０５ｃの一例を示す図である。
【図１２Ａ】図１２Ａは、受信端末２が第２送信端末３０から受信した伝達情報の一例を示す図である。
【図１２Ｂ】図１２Ｂは、受信端末２のディスプレイ４０１にキャプチャ画像を表示させた場合の一例を示す図である。
【図１２Ｃ】図１２Ｃは、受信端末２においてキャプチャ画像と伝達情報とを重畳して生成した重畳画像の一例を示す図である。
【図１３Ａ】図１３Ａは、受信端末２のディスプレイ４０１において、リアルタイムコンテンツ上に重畳画像を表示させた場合の一例を示す図である。
【図１３Ｂ】図１３Ｂは、受信端末２が備えるタブレット型端末に、重畳画像を表示させた場合の一例を示す図である。
【図１４】図１４は、送信端末１を１つの装置で構成した場合における情報伝達システムのシステム構成の一例を示す図である。
【図１５】図１５は、第１送信端末２０が伝達情報送信部１６を備える構成とした場合における情報伝達システムのシステム構成の一例を示す図である。
【図１６】図１６は、第２送信端末３０がシーン識別情報送信部１４を備える構成とした場合における情報伝達システムのシステム構成の一例を示す図である。
【図１７】図１７は、送信端末１および受信端末２がそれぞれコンテンツ配信サーバ４からリアルタイムコンテンツを受信する構成とした場合における情報伝達システムのシステム構成の一例を示す図である。
【図１８Ａ】図１８Ａは、受信端末２を２つの装置で構成した場合における受信端末の構成の一例を示す図である。
【図１８Ｂ】図１８Ｂは、第１受信端末４０が伝達情報受信部２６を備える構成とした場合における受信端末の構成の一例を示す図である。
【図１８Ｃ】図１８Ｃは、第２受信端末５０がシーン識別情報受信部２７を備える構成とした場合における受信端末の構成の一例を示す図である。
【図１８Ｄ】図１８Ｄは、第１受信端末４０が伝達情報受信部２６を備え、第２受信端末５０がシーン識別情報受信部２７を備える構成とした場合における受信端末の構成の一例を示す図である。
【図１８Ｅ】図１８Ｅは、第１受信端末４０が画像重畳部２４を備える構成とした場合における受信端末の構成の一例を示す図である。
【図１９】図１９は、第２の実施形態による情報伝達システムのシステム構成の一例を示す図である。
【図２０】図２０は、図１９に示した管理サーバ５を、ＣＰＵを用いて実現したハードウェア構成の一例を示す図である。
【図２１Ａ】図２１Ａは、送信端末１（第１送信端末２０および第２送信端末３０）が、管理サーバを経由して、受信端末２に、リアルタイムコンテンツを視聴するユーザの伝達情報を伝達する場合の処理を示すフローチャートの一例を示す図である。
【図２１Ｂ】図２１Ｂは、送信端末１（第１送信端末２０および第２送信端末３０）が、管理サーバを経由して、受信端末２に、リアルタイムコンテンツを視聴するユーザの伝達情報を伝達する場合の処理を示すフローチャートの一例を示す図である。
【図２２】図２２は、受信端末２のディスプレイ４０１において、リアルタイムコンテンツ上に重畳画像を表示させた場合の一例を示す図である。
【図２３Ａ】図２３Ａは、送信端末１と受信端末２との間で送受信される主なデータの関係を模式的に示す図である。
【図２３Ｂ】図２３Ｂは、送信端末１と受信端末２との間で送受信される主なデータの関係を模式的に示す図である。
【図２３Ｃ】図２３Ｃは、送信端末１と受信端末２との間で送受信される主なデータの関係を模式的に示す図である。
【図２３Ｄ】図２３Ｄは、送信端末１と受信端末２との間で送受信される主なデータの関係を模式的に示す図である。
【図２３Ｅ】図２３Ｅは、送信端末１と管理サーバ５と受信端末２との間で送受信される主なデータの関係を模式的に示す図である。
【図２４】図２４は、第４の実施形態による情報伝達システムのシステム構成の一例を示す図である。
【図２５】図２５は、第４の実施形態の情報伝達システムにおいて、送信端末１（第１送信端末２０および第２送信端末３０）が、受信端末２に伝達情報としてのクイズ情報を送信する場合の処理を示すフローチャートの一例を示す図である。
【図２６】図２６は、第２送信端末３０のタッチパネルディスプレイ３０１に表示画面を表示させた場合の一例を示す図である。
【図２７】図２７は、第４の実施形態の情報伝達システムにおいて、第２送信端末３０が実行するクイズ情報作成処理のフローチャートの一例を示す図である。
【図２８】図２８は、第２送信端末３０のタッチパネルディスプレイ３０１に画像選択画面を表示させた場合の一例を示す図である。
【図２９】図２９は、第２送信端末３０のタッチパネルディスプレイ３０１にクイズ設定画面を表示させた場合の一例を示す図である。
【図３０】図３０は、第２送信端末３０のタッチパネルディスプレイ３０１にクイズ画面を表示させた場合の一例を示す図である。
【図３１】図３１は、第２送信端末３０においてクイズ情報として保持される伝達情報データ３０５ｃの一例を示す図である。
【図３２】図３２は、リアルタイムコンテンツ上にクイズ画像１２１を重畳表示させた場合の一例を示す図である。
【図３３】図３３は、第５の実施形態による情報伝達システムのシステム構成の一例を示す図である。
【図３４】図３４は、第５の実施形態の情報伝達システムにおいて、送信端末１（第１送信端末２０および第２送信端末３０）が、受信端末２に伝達情報としての広告情報を送信する場合の処理を示すフローチャートの一例を示す図である。
【図３５】図３５は、第２送信端末３０のタッチパネルディスプレイ３０１に表示画面を表示させた場合の一例を示す図である。
【図３６】図３６は、第５の実施形態の情報伝達システムにおいて、第２送信端末３０が実行する広告情報作成処理のフローチャートの一例を示す図である。
【図３７】図３７は、第２送信端末３０のタッチパネルディスプレイ３０１に画像選択画面を表示させた場合の一例を示す図である。
【図３８】図３８は、第２送信端末３０のタッチパネルディスプレイ３０１に広告設定画面を表示させた場合の一例を示す図である。
【図３９】図３９は、第２送信端末３０のタッチパネルディスプレイ３０１に広告画面を表示させた場合の一例を示す図である。
【図４０】図４０は、リアルタイムコンテンツ上に広告画像１２２を重畳表示させた場合の一例を示す図である。
【図４１】図４１は、第６の実施形態による情報伝達システムのシステム構成の一例を示す図である。
【図４２】図４２は、第６の実施形態の情報伝達システムにおいて、送信端末１（第１送信端末２０および第２送信端末３０）が、受信端末２に伝達情報としてのゲーム情報を送信する場合の処理を示すフローチャートの一例を示す図である。
【図４３】図４３は、第２送信端末３０のタッチパネルディスプレイ３０１に表示画面を表示させた場合の一例を示す図である。
【図４４】図４４は、第５の実施形態の情報伝達システムにおいて、第２送信端末３０が実行するゲーム情報作成処理のフローチャートの一例を示す図である。
【図４５】図４５は、第２送信端末３０のタッチパネルディスプレイ３０１に画像選択画面を表示させた場合の一例を示す図である。
【図４６】図４６は、第２送信端末３０のタッチパネルディスプレイ３０１にゲーム設定画面を表示させた場合の一例を示す図である。
【図４７】図４７は、第２送信端末３０のタッチパネルディスプレイ３０１にゲーム画面を表示させた場合の一例を示す図である。
【図４８】図４８は、リアルタイムコンテンツ上にゲーム画像１２３を重畳表示させた場合の一例を示す図である。
【発明を実施するための形態】
【００１８】
以下においては、本発明の実施形態について図面を用いて具体的に説明する。
【００１９】
［１．第１の実施形態］
以下、一例としてテレビ受像機を用いた情報伝達システムについて説明する。テレビ受像機は、テレビジョン放送の電波を受信して、ユーザにリアルタイムコンテンツを視聴させることができる装置である。なお、本実施形態において、リアルタイムコンテンツとは、例えばテレビジョン放送が行われる放送番組のように、一斉に配信される動画コンテンツであって、各視聴ユーザが同タイミングで視聴できるコンテンツをいう。よって、リアルタイムコンテンツは、生放送または収録放送の放送番組を含む概念である。
【００２０】
［１−１．システム構成］
図１は、第１の実施形態による情報伝達システムのシステム構成の一例を示す図である。このシステム構成においては、送信端末１（第１送信端末２０および第２送信端末３０）および受信端末２は、ネットワークＮを介して相互通信可能に接続されている。ネットワークＮは、例えばインターネット、ＬＡＮ（Local Area Network）、ＷＡＮ（Wide Area Network）等で実現することができる。
【００２１】
送信端末１は、第１送信端末２０と第２送信端末３０とを含む。第１送信端末２０および受信端末２は、それぞれ放送局３からの放送電波（例えば地上デジタル放送電波）を受信して、放送番組であるリアルタイムコンテンツをユーザに視聴させることができる。
【００２２】
例えば、第１送信端末２０および受信端末２は、テレビ受像機である。なお、第１送信端末２０または受信端末２は、テレビジョン放送を受信可能なチューナーを内蔵したデバイス装置（例えばディスク録画再生装置等）とすることができる。
【００２３】
例えば、第２送信端末３０は、第１送信端末２０と通信可能なタブレット型端末である。なお、第２送信端末３０は、タッチパネルディスプレイ等を備えたスマートフォンとすることができる。
【００２４】
なお、第１送信端末２０または受信端末２は、例えばケーブルテレビ等のネットワークを介してテレビジョン放送を受信可能なチューナーを内蔵したデバイス装置（例えばセットトップボックスまたはディスク録画再生装置等）とすることができる。
【００２５】
なお、図１において、送信端末１と通信可能な受信端末２は、１つしか記載されていないが複数存在してもよい。また、図１において、送信端末１と受信端末２との組み合わせは、１組しか記載されていないが複数組存在してもよい。
【００２６】
［１−２．処理概要］
以下、第１の実施形態にかかる情報伝達システムの処理概要を、機能ブロック図を用いて説明する。図１における第１送信端末２０、第２送信端末３０および受信端末２の内部には、各装置に含まれる機能部を示す機能ブロック図が記載されている。
【００２７】
第１送信端末２０は、リアルタイムコンテンツ受信部１１（動画コンテンツを再生する再生部）、画像表示部１２（動画コンテンツを表示する表示部）、送信側バッファ部１３（動画コンテンツの一部または全部を一時的に記憶するバッファ部）、シーン識別情報送信部１４（シーン特定情報を送信する送信部）および送信側キャプチャ画像取得部１５を備える。第２送信端末３０は、伝達情報送信部１６、キャプチャ指示受付部１７、伝達情報受付部１８（伝達情報の入力を受け付ける受付部）およびキャプチャ画像表示部１９を備える。受信端末２は、リアルタイムコンテンツ受信部２１（動画コンテンツを再生する再生部）、画像表示部２２（動画コンテンツを表示する表示部）、受信側バッファ部２３（動画コンテンツの一部または全部を一時的に記憶するバッファ部）、画像重畳部２４、受信側キャプチャ画像取得部２５、伝達情報受信部２６およびシーン識別情報受信部２７（シーン特定情報を受信する受信部）を備える。
【００２８】
第１送信端末２０におけるリアルタイムコンテンツ受信部１１は、放送局３が放送する放送番組をリアルタイムコンテンツとして受信して再生する。第１送信端末２０における画像表示部１２は、第１送信端末２０におけるリアルタイムコンテンツ受信部１１が受信して再生したコンテンツの画像（例えば動画）を表示させて、送信端末１のユーザにコンテンツを視聴させる。第１送信端末２０における送信側バッファ部１３は、第１送信端末２０における画像表示部１２が表示させたコンテンツの画像の一部または全部を一時的に記憶する。
【００２９】
なお、上記において送信側バッファ部１３は、画像表示部１２が表示させたコンテンツの画像の一部または全部を一時的に記憶するようにしているが、リアルタイムコンテンツ受信部１１が出力したコンテンツの画像の一部または全部を一時的に記憶するようにしてもよい。また、送信側バッファ部１３をリアルタイムコンテンツ受信部１１と画像表示部１２との間に配置して、送信側バッファ部１３が出力したコンテンツの画像を画像表示部１２が表示するようにしてもよい。
【００３０】
第２送信端末３０におけるキャプチャ指示受付部１７は、第１送信端末２０における画像表示部１２が表示させたコンテンツの画像を特定のタイミングでキャプチャするためのキャプチャ指示を、このコンテンツを視聴中のユーザから受け付ける。第１送信端末２０における送信側キャプチャ画像取得部１５は、第２送信端末３０におけるキャプチャ指示受付部１７が受け付けたキャプチャ指示に基づいて、リアルタイムコンテンツ中の特定シーンを少なくとも１つキャプチャすることによりキャプチャ画像を、例えばメモリに取得する。第１送信端末２０におけるシーン識別情報送信部１４は、例えばプロセッサにて生成または取得されたシーン識別情報であって、第１送信端末２０における送信側キャプチャ画像取得部１５が取得したキャプチャ画像の特定シーンを識別するためのシーン識別情報を受信端末２に送信する。
【００３１】
第２送信端末３０におけるキャプチャ画像表示部１９は、第１送信端末２０における送信側キャプチャ画像取得部１５が取得したキャプチャ画像を（例えば静止画）を表示させる。第２送信端末３０における伝達情報受付部１８は、第２送信端末３０におけるキャプチャ画像表示部１９が表示させたキャプチャ画像に重畳して表示させる伝達情報の入力をユーザから受け付ける。第２送信端末３０における伝達情報送信部１６は、第２送信端末３０における伝達情報受付部１８にてユーザから入力を受け付けた伝達情報を受信端末２に送信する。
【００３２】
受信端末２におけるリアルタイムコンテンツ受信部２１は、第１送信端末２０におけるリアルタイムコンテンツ受信部１１の場合と同様に、放送局３が放送する放送番組をリアルタイムコンテンツとして受信して再生する。受信端末２における画像表示部２２は、第１送信端末２０における画像表示部１２の場合と同様に、受信端末２におけるリアルタイムコンテンツ受信部２１が受信して再生したコンテンツの画像（例えば動画）を表示させて、受信端末２のユーザにコンテンツを視聴させる。受信端末２における受信側バッファ部２３は、受信端末２における画像表示部２２が表示させたコンテンツの画像の一部または全部を一時的に記憶する。
【００３３】
なお、上記において受信側バッファ部２３は、画像表示部２２が表示させたコンテンツの画像の一部または全部を一時的に記憶するようにしているが、リアルタイムコンテンツ受信部２１が受信したコンテンツの画像の一部または全部を一時的に記憶するようにしてもよい。また、受信側バッファ部２３をリアルタイムコンテンツ受信部２１と画像表示部２２との間に位置するようにして、受信側バッファ部２３が記憶したコンテンツの画像を画像表示部２２が表示するようにしてもよい。
【００３４】
受信端末２におけるシーン識別情報受信部２７は、第１送信端末２０の送信側キャプチャ画像取得部１５が取得したキャプチャ画像の特定シーンを識別するためのシーン識別情報を、第１送信端末から受信する。受信端末２における受信側キャプチャ画像取得部２５は、受信端末２におけるシーン識別情報受信部２７が第１送信端末２０から受信したシーン識別情報に基づいて、リアルタイムコンテンツ中の特定シーンを少なくとも１つ、例えばメモリにキャプチャすることによりキャプチャ画像を取得する。
【００３５】
受信端末２における伝達情報受信部２６は、第２送信端末３０における伝達情報受付部１８がユーザから入力を受け付けた伝達情報を、第２送信端末３０から受信する。受信端末２における画像重畳部２４は、受信端末２における伝達情報受信部２６が受信した伝達情報を、受信端末２における受信側キャプチャ画像取得部２５が取得したキャプチャ画像に重畳させて重畳画像を生成する。受信端末２における画像表示部２２は、受信端末２における画像重畳部２４が生成した重畳画像を表示させて、この重畳画像を受信端末２のユーザに視認させる。
【００３６】
図１に示した各機能部（リアルタイムコンテンツ受信部１１、画像表示部１２、シーン識別情報送信部１４、送信側キャプチャ画像取得部１５、伝達情報送信部１６、キャプチャ指示受付部１７、伝達情報受付部１８、キャプチャ画像表示部１９、リアルタイムコンテンツ受信部２１、画像表示部２２、画像重畳部２４、受信側キャプチャ画像取得部２５、伝達情報受信部２６およびシーン識別情報受信部２７）は、それぞれプログラムによって実現されるＣＰＵの機能を含むものである。本明細書において、プログラムは、ＣＰＵにより直接実行可能なプログラムだけでなく、ソース形式のプログラム、圧縮処理がされたプログラム、暗号化されたプログラム等を含む。
【００３７】
［１−３．ハードウェア構成］
［１−３−１．第１送信端末２０］
図２は、図１に示した第１送信端末２０を、ＣＰＵを用いて実現したハードウェア構成の一例を示す図である。第１送信端末２０は、ディスプレイ２０１、ＣＰＵ(Central Processing Unit)２０２、ＲＡＭ（Random Access Memory）２０３、操作ボタン２０４、フラッシュメモリ２０５、ＲＯＭ（Read Only Memory）２０６、チューナー回路２０７、第１通信回路２０８、第２通信回路２０９および外部接続ポート２１０を有する。これらは、内部バス２００を介して相互に接続されている。
【００３８】
ディスプレイ２０１は、ＣＰＵ２０２の命令により出力されたリアルタイムコンテンツの画像を表示することができる。ＣＰＵ２０２は、ＯＳ（Operating System）２０６ａおよび第１送信端末制御プログラム２０５ａに基づく処理を実行することができる。ＲＡＭ２０３は、ＣＰＵ２０２にアドレス空間を提供することができる。操作ボタン２０４は、第１送信端末２０の基本操作（例えば電源のオンオフ操作等）をユーザから受け付けることができる。フラッシュメモリ２０５は、第１送信端末制御プログラム２０５ａを保持することができる。
【００３９】
外部接続ポート２１０は、外部接続型ハードディスクドライブ２１１を接続することができる。外部接続ポート２１０は、例えばＵＳＢ（Universal Serial Bus）規格やＩＥＥＥ１３９４規格に基づく接続が可能な外部機器を接続することができる。外部接続型ハードディスクドライブ２１１の一部は、リングバッファ２０３ａとして機能することができる。また、外部接続型ハードディスクドライブ２１１は、キャプチャ画像データ２０５ｂおよびシーン識別情報データ２０５ｃ等を保持することができる。
【００４０】
なお、リングバッファ２０３ａ、キャプチャ画像データ２０５ｂまたはシーン識別情報データ２０５ｃのうちのいずれかまたは全部は、ＲＡＭ２０３、フラッシュメモリ２０５、内部接続型ハードディスクドライブ（図示しない）、ネットワーク接続型ハードディスクドライブ（図示しない）またはネットワークストレージ（図示しない）に保持されてもよい。例えば、内部接続型ハードディスクドライブ（図示しない）は、外部接続ポート２１０を経由せずに内部バス２００に直接接続されているハードディスクドライブである。例えば、ネットワーク接続型ハードディスクドライブ（図示しない）は、インターネット等のネットワークＮを介して接続されているハードディスクドライブである。例えば、ネットワークストレージ（図示しない）は、インターネット等のネットワークＮを介して接続されているファイルサーバ（図示しない）である。
【００４１】
ＲＯＭ２０６は、ＯＳ２０６ａを保持することができる。チューナー回路２０７は、放送局３が放送する放送番組の電波を複数受信することができる。
【００４２】
第１通信回路２０８は、ネットワークＮ（図１）を介して受信端末２と通信することができる。第１通信回路２０８は、例えばＴＣＰ／ＩＰ（Transmission Control Protocol/Internet Protocol）による通信が可能である。第２通信回路２０９は、第２送信端末３０と通信することができる。第２通信回路２０９は、例えばIrDA（商標）、Bluetooth（商標）、Wireless USBまたはWi-Fi（商標）等の規格に基づく無線通信や、ＵＳＢ（Universal Serial Bus）またはＨＤＭＩ（High-Definition Multimedia Interface）等の規格に基づく有線通信が可能である。
【００４３】
図１に示した第１送信端末２０を構成する、リアルタイムコンテンツ受信部１１、画像表示部１２、シーン識別情報送信部１４および送信側キャプチャ画像取得部１５は、一例として、ＣＰＵ２０２上において第１送信端末制御プログラム２０５ａ（図２）を実行することによって実現される。図１に示したリアルタイムコンテンツ受信部１１が受信したリアルタイムコンテンツ、または、図１に示した画像表示部１２が表示したリアルタイムコンテンツは、一例として、外部接続型ハードディスクドライブ２１１のリングバッファ２０３ａ（図２）に保持される。図１に示した送信側キャプチャ画像取得部１５が取得したキャプチャ画像は、一例として、外部接続型ハードディスクドライブ２１１のキャプチャ画像データ２０５ｂ（図２）に保持される。図１に示した送信側キャプチャ画像取得部１５が取得したキャプチャ画像の特定シーンを識別するシーン識別情報は、一例として、外部接続型ハードディスクドライブ２１１のシーン識別情報データ２０５ｃ（図２）に保持される。
【００４４】
［１−３−２．第２送信端末３０］
図３は、図１に示した第２送信端末３０を、ＣＰＵを用いて実現したハードウェア構成の一例を示す図である。第２送信端末３０は、タッチパネルディスプレイ３０１、ＣＰＵ３０２、ＲＡＭ３０３、操作ボタン３０４、フラッシュメモリ３０５、ＲＯＭ３０６、第１通信回路３０７および第２通信回路３０８を有する。
【００４５】
タッチパネルディスプレイ３０１は、ＣＰＵ３０２の命令により出力されたキャプチャ画像を画面に表示することができる。また、タッチパネルディスプレイ３０１は、画面上の位置を指定する指示操作（例えばユーザの指先またはスタイラスによる接触操作）をユーザから受け付けることができる。
【００４６】
ＣＰＵ３０２は、ＯＳ３０６ａおよび第２送信端末制御プログラム３０５ａに基づく処理を実行することができる。ＲＡＭ３０３は、ＣＰＵ３０２にアドレス空間を提供することができる。操作ボタン３０４は、第２送信端末３０の基本操作（例えば電源のオンオフ操作等）をユーザから受け付けることができる。
【００４７】
フラッシュメモリ３０５は、第２送信端末制御プログラム３０５ａ、キャプチャ画像データ３０５ｂおよび伝達情報データ３０５ｃ等を保持することができる。ＲＯＭ３０６は、ＯＳ３０６ａを保持することができる。なお、キャプチャ画像データ３０５ｂおよび伝達情報データ３０５ｃは、ＲＡＭ３０３に保持されてもよい。
【００４８】
第１通信回路３０７は、第１送信端末２０の場合と同様に、ネットワークＮ（図１）を介して受信端末２と通信することができる。第１通信回路３０７は、第１送信端末２０の場合と同様に、例えばＴＣＰ／ＩＰによる通信が可能である。第２通信回路３０８は、第１送信端末２０と通信することができる。第２通信回路３０８は、第１送信端末２０の場合と同様に、例えばIrDA（商標）、Bluetooth（商標）、Wireless USBまたはWi-Fi（商標）等の規格に基づく無線通信や、ＵＳＢまたはＨＤＭＩ（商標）等の規格に基づく有線通信が可能である。
【００４９】
図１に示した第２送信端末３０を構成する、伝達情報送信部１６、キャプチャ指示受付部１７、伝達情報受付部１８およびキャプチャ画像表示部１９は、一例として、ＣＰＵ３０２上において第２送信端末制御プログラム３０５ａ（図３）を実行することによって実現される。図１に示した送信側キャプチャ画像取得部１５が取得したキャプチャ画像は、一例として、フラッシュメモリ３０５のキャプチャ画像データ３０５ｂ（図３）に保持される。図１に示した伝達情報受付部１８がユーザから入力を受け付けた伝達情報は、一例として、フラッシュメモリ３０５の伝達情報データ３０５ｃ（図３）に保持される。
【００５０】
［１−３−３．受信端末２］
図４は、図１に示した受信端末２を、ＣＰＵを用いて実現したハードウェア構成の一例を示す図である。受信端末２は、ディスプレイ４０１、ＣＰＵ４０２、ＲＡＭ４０３、操作ボタン４０４、フラッシュメモリ４０５、ＲＯＭ４０６、チューナー回路４０７、通信回路４０８および外部接続ポート４１０を有する。これらは、内部バス４００を介して相互に接続されている。
【００５１】
ディスプレイ４０１は、ＣＰＵ４０２の命令により出力されたリアルタイムコンテンツの画像を表示することができる。ＣＰＵ４０２は、ＯＳ４０６ａおよび受信端末制御プログラム４０５ａに基づく処理を実行することができる。ＲＡＭ４０３は、ＣＰＵ４０２にアドレス空間を提供することができる。操作ボタン４０４は、受信端末２の基本操作（例えば電源のオンオフ操作等）をユーザから受け付けることができる。フラッシュメモリ４０５は、受信端末制御プログラム４０５ａを保持することができる。
【００５２】
外部接続ポート４１０は、外部接続型ハードディスクドライブ４１１を接続することができる。外部接続ポート４１０は、例えばＵＳＢ規格やＩＥＥＥ１３９４規格に基づく接続が可能な外部機器を接続することができる。外部接続型ハードディスクドライブ４１１の一部は、リングバッファ４０３ａとして機能することができる。また、外部接続型ハードディスクドライブ４１１は、キャプチャ画像データ４０５ｂおよび伝達情報データ４０５ｃ等を保持することができる。
【００５３】
なお、リングバッファ４０３ａ、キャプチャ画像データ４０５ｂまたは伝達情報データ４０５ｃのうちのいずれかまたは全部は、ＲＡＭ４０３、フラッシュメモリ４０５、内部接続型ハードディスクドライブ（図示しない）、ネットワーク接続型ハードディスクドライブ（図示しない）またはネットワークストレージ（図示しない）に保持されてもよい。例えば、内部接続型ハードディスクドライブ（図示しない）は、外部接続ポート４１０を経由せずに内部バス４００に直接接続されているハードディスクドライブである。例えば、ネットワーク接続型ハードディスクドライブ（図示しない）は、インターネット等のネットワークＮを介して接続されているハードディスクドライブである。例えば、ネットワークストレージ（図示しない）は、インターネット等のネットワークＮを介して接続されているファイルサーバ（図示しない）である。
【００５４】
ＲＯＭ４０６は、ＯＳ４０６ａを保持することができる。チューナー回路４０７は、第１送信端末２０または第２送信端末３０の場合と同様に、放送局３が放送する放送番組の電波を複数受信することができる。通信回路４０８は、ネットワークＮ（図１）を介して第１送信端末２０および第２送信端末３０と通信することができる。通信回路４０８は、第１送信端末２０または第２送信端末３０の場合と同様に、例えばＴＣＰ／ＩＰによる通信が可能である。
【００５５】
図１に示した受信端末２を構成する、リアルタイムコンテンツ受信部２１、画像表示部２２、画像重畳部２４、受信側キャプチャ画像取得部２５、伝達情報受信部２６およびシーン識別情報受信部２７は、一例として、ＣＰＵ４０２上において受信端末制御プログラム４０５ａ（図４）を実行することによって実現される。図１に示したリアルタイムコンテンツ受信部２１が受信したリアルタイムコンテンツ、または、図１に示した画像表示部２２が表示したリアルタイムコンテンツは、一例として、外部接続型ハードディスクドライブ４１１のリングバッファ４０３ａ（図４）に保持される。図１に示した受信側キャプチャ画像取得部２５が取得したキャプチャ画像は、一例として、外部接続型ハードディスクドライブ４１１のキャプチャ画像データ４０５ｂ（図４）に保持される。図１に示した伝達情報受信部２６が第２送信端末から受信した伝達情報は、一例として、外部接続型ハードディスクドライブ４１１の伝達情報データ４０５ｃ（図４）に保持される。
【００５６】
［１−４．処理詳細］
図５〜１３Ｂを用いて、本実施形態における処理詳細を説明する。図５は、本実施形態の情報伝達システムにおいて、送信端末１（第１送信端末２０および第２送信端末３０）が、リアルタイムコンテンツを視聴するユーザの伝達情報を、受信端末２に伝達する場合の処理を示すフローチャートの一例を示す図である。
【００５７】
図６Ａは、第１送信端末２０のディスプレイ２０１にリアルタイムコンテンツを表示させた場合の一例を示す図である。図６Ｂは、第２送信端末３０のタッチパネルディスプレイ３０１に表示画面を表示させた場合の一例を示す図である。図６Ｃは、第２送信端末３０のタッチパネルディスプレイ３０１にリアルタイムコンテンツのキャプチャ画像を表示させた場合の一例を示す図である。
【００５８】
図７Ａおよび図７Ｂは、第１送信端末２０において保持されるキャプチャ画像データ２０５ｂの一例を示す図である。図８Ａおよび図８Ｂは、第１送信端末２０において保持されるシーン識別情報データ２０５ｃの一例を示す図である。図９Ａおよび図９Ｂは、受信端末２において保持されるキャプチャ画像データ４０５ｂの一例を示す図である。
【００５９】
図１０Ａは、第２送信端末３０のタッチパネルディスプレイ３０１に表示されたキャプチャ画像に関する伝達情報を入力した場合の一例を示す図である。図１０Ｂは、第２送信端末３０のタッチパネルディスプレイ３０１上においてユーザが入力した伝達情報の一例を示す図である。図１１Ａおよび図１１Ｂは、第２送信端末３０において保持される伝達情報データ３０５ｃの一例を示す図である。
【００６０】
図１２Ａは、受信端末２が第２送信端末３０から受信した伝達情報の一例を示す図である。図１２Ｂは、受信端末２のディスプレイ４０１にキャプチャ画像を表示させた場合の一例を示す図である。図１２Ｃは、受信端末２においてキャプチャ画像と伝達情報とを重畳して生成した重畳画像の一例を示す図である。
【００６１】
図１３Ａは、受信端末２のディスプレイ４０１において、リアルタイムコンテンツ上に重畳画像を表示させた場合の一例を示す図である。図１３Ｂは、受信端末２が備えるタブレット型端末に、重畳画像を表示させた場合の一例を示す図である。
【００６２】
［１−４−１．第１送信端末におけるキャプチャ指示］
テレビ受像機である第１送信端末２０のＣＰＵ２０２は、放送局３が放送する放送番組をリアルタイムコンテンツとして受信し、受信したリアルタイムコンテンツをディスプレイ２０１に表示する。これにより、第１送信端末２０のユーザは、リアルタイムコンテンツを視聴することができる（例えば図６Ａ参照）。
【００６３】
図５のフローチャートに示すように、第１送信端末２０のＣＰＵ２０２は、ディスプレイ２０１に表示したリアルタイムコンテンツを、リングバッファ２０３ａ（図２）に記録する（ステップＳ５０１）。リングバッファ２０３ａは、過去に表示したコンテンツの画像または過去に受信したコンテンツの画像を所定時間分保持することができる。本実施形態において、リングバッファ２０３ａは、コンテンツ映像の所定時間毎（例えば１秒毎）のフレームを所定時間分保持するが、コンテンツ映像の全てのフレーム（例えば１秒間に３０フレーム）を所定時間分保持してもよい。
【００６４】
ユーザは、テレビ受像機である第１送信端末２０においてリアルタイムコンテンツを視聴しているときに、タブレット型端末である第２送信端末３０を使用することができる。なお、本実施形態において、タブレット型端末である第２送信端末３０は、テレビ受像機である第１送信端末２０と、予め通信可能に接続されているものとする。
【００６５】
第２送信端末３０のＣＰＵ３０２は、キャプチャ指示ボタンがユーザにより押下されたか否かを判断する（ステップＳ５１１）。例えば、ＣＰＵ３０２は、第２送信端末３０のタッチパネルディスプレイ３０１に表示されているキャプチャ指示ボタン３１１（図６Ｂ）が、ユーザの指先またはスタイラス等で押下操作されたことを検出した場合に、キャプチャ指示ボタンが押下されたと判断する。
【００６６】
キャプチャ指示ボタン３１１が押下されたと判断すると（ステップＳ５１１、Ｙｅｓ判断）、第２送信端末３０のＣＰＵ３０２は、キャプチャ指示データを第１送信端末２０に送信する（ステップＳ５１２）。
【００６７】
キャプチャ指示データの送信を受けて、第１送信端末２０のＣＰＵ２０２は、ディスプレイ２０１にそのとき表示しているリアルタイムコンテンツの特定シーンを含むフレームを複数キャプチャすることにより、複数のキャプチャ画像を取得し、取得したキャプチャ画像をキャプチャ画像データ２０５ｂに記録する（ステップＳ５０２）。例えば、ＣＰＵ２０２は、リングバッファ２０３ａに記録されている過去に表示したフレームを参照して、図７Ａに示すように、再生時刻７３が１秒ずつ異なる、５つのキャプチャ画像を示すレコード７０１〜７０５を記録する。
【００６８】
図７Ａに示すように、ＣＰＵ２０２は、例えば、キャプチャ画像７４の実データを、放送局ＩＤ７１、番組ＩＤ７２、再生時刻７３の各データに対応付けて、キャプチャ画像データ２０５ｂに記録する。例えば、図７Ａのレコード７０３は、放送局ＩＤ７１「Ｂ００１」、番組ＩＤ７２「Ｐ１０１」、再生時刻７３「１８：１５：０３」およびキャプチャ画像７４「（S_Cap003.bmp）」等のデータを含む。なお、図７Ａにおいて、キャプチャ画像７４の実データは、「（S_Cap001.bmp)」のように、画像ファイルを示すファイル名を用いて表現されている。
【００６９】
なお、テレビション放送にＭＰＥＧ−２システム（Moving Picture Experts Group 2 Systems）に基づく伝送規格を用いる場合、再生時刻７３は、ＰＥＳ（Packetized Elementary Stream）パケットのヘッダ情報に含まれる再生時刻とすることができる。
【００７０】
図７Ａに示すように、ＣＰＵ２０２は、例えば、レコード７０３の前後２秒間のフレームについてのキャプチャ画像のデータを、レコード７０１、７０２、７０４および７０５として記録する。このように、第２送信端末３０からキャプチャ指示データの送信を受けたタイミングと前後するタイミングのフレームをキャプチャ画像に含め、そこから、ユーザが任意のキャプチャ画像を選択できるようにすることにより、後述するように、ユーザが第２送信端末３０のキャプチャ指示ボタン３１１を押下した時刻と、第１送信端末２０においてコンテンツを実際にキャプチャする時刻とのタイムラグを解消することができる。また、ユーザは複数のキャプチャ画像の中から任意のキャプチャ画像を選択できるので、ユーザがキャプチャしようとした画像と、実際にキャプチャされた画像とが異なっていても、ユーザがキャプチャしようとした画像を選択し直すことができる。
【００７１】
なお、ＣＰＵ２０２は、図７Ｂに示すように、図７Ａに示したキャプチャ画像データ２０５ｂの各レコード（レコード７０１〜７０５）にそれぞれ対応するユニークなＩＤ番号（識別番号）を発行し、例えば、発行したＩＤ番号７５「ＩＤ００１」〜「ＩＤ００５」を各レコードに付加することができる。この場合、後述するように、受信端末２は、ＩＤ番号に基づいてキャプチャ画像を識別することができる。
【００７２】
続いて第１送信端末２０のＣＰＵ２０２は、キャプチャ画像のシーン識別情報を受信端末２に送信する（ステップＳ５０３）。シーン識別情報とは、キャプチャ画像の特定シーンを識別するための情報である。具体的には、例えば、図７Ａに示したキャプチャ画像データ２０５ｂに記録した放送局ＩＤ７１、番組ＩＤ７２および再生時刻７３の各データを組み合わせたものがシーン識別情報に該当する。例えば、ＣＰＵ２０２は、図７Ａの放送局ＩＤ７１、番組ＩＤ７２および再生時刻７３の各データに基づいて、図８Ａに示すシーン識別情報データ２０５ｃ（レコード８０１〜８０５）を作成し、作成したシーン識別情報データ２０５ｃを受信端末２に送信する。
【００７３】
なお、図７Ｂに示したように、キャプチャ画像データ２０５ｂの各レコード（レコード７０１〜７０５）にＩＤ番号７５の各データが付加されていた場合、ＣＰＵ２０２は、図８Ｂに示すように、シーン識別情報データ２０５ｃの各レコード（レコード８０１〜８０５）にＩＤ番号８４「ＩＤ００１」〜「ＩＤ００５」の各データを付加してシーン識別情報を作成する。
【００７４】
テレビ受像機である受信端末２のＣＰＵ４０２は、第１送信端末２０の場合と同様に、放送局３が放送する放送番組をリアルタイムコンテンツとして受信し、受信したリアルタイムコンテンツをディスプレイ４０１に表示する。これにより、受信端末２のユーザは、リアルタイムコンテンツを視聴することができる。
【００７５】
受信端末２のＣＰＵ４０２は、ディスプレイ４０１に表示したリアルタイムコンテンツを、第１送信端末２０の場合と同様に、リングバッファ４０３ａ（図４）に記録する（ステップＳ５３１）。リングバッファ４０３ａは、第１送信端末２０のリングバッファ２０３ａの場合と同様に、コンテンツ映像の所定時間毎（例えば１秒毎）のフレームを所定時間分保持することができる。
【００７６】
受信端末２のＣＰＵ４０２は、キャプチャ画像の特定シーンを識別するためのシーン識別情報を、第１送信端末２０から受信する（ステップＳ５３２）。例えば、ＣＰＵ４０２は、図８Ａまたは図８Ｂに示したシーン識別情報データ２０５ｃのレコード８０１〜８０５を全て受信する。
【００７７】
受信端末２のＣＰＵ４０２は、第１送信端末２０から受信したシーン識別情報に基づいて、シーン識別情報が示す特定シーンを含むフレームを複数キャプチャすることにより、複数のキャプチャ画像を取得し、取得したキャプチャ画像をキャプチャ画像データ４０５ｂに記録する（ステップＳ５３３）。例えば、ＣＰＵ４０２は、リングバッファ４０３ａ（図４）に記録されている過去に表示したフレームを参照して、図９Ａに示すように、再生時刻９３が１秒ずつ異なる５つのキャプチャ画像を示すレコード９０１〜９０５を記録する。
【００７８】
図９Ａに示すように、ＣＰＵ４０２は、例えば、キャプチャ画像９４の実データを、放送局ＩＤ９１、番組ＩＤ９２、再生時刻９３の各データに対応付けて、キャプチャ画像データ４０５ｂに記録する。例えば、図９Ａのレコード９０３は、放送局ＩＤ９１「Ｂ００１」、番組ＩＤ９２「Ｐ１０１」、再生時刻９３「１８：１５：０３」およびキャプチャ画像９４「（R_Cap003.bmp）」等のデータを含む。なお、図９Ａにおいて、キャプチャ画像９４の実データは、例えば「（R_Cap001.bmp)」のように、画像ファイルを示すファイル名を用いて表現されている。
【００７９】
ここで、受信端末２のＣＰＵ４０２は、図９Ａに示すように、再生時刻９３が１秒ずつ異なる５つのキャプチャ画像を示すレコード９０１〜９０５を記録する。図９Ａに示すように、ＣＰＵ４０２は、例えば、第１送信端末２０が第２送信端末３０からキャプチャ指示データの送信を受けたときに表示していたフレームのキャプチャ画像のデータを、レコード９０３として記録する。また、ＣＰＵ４０２は、第１送信端末２０の場合と同様に、レコード９０３の前後２秒間のフレームについてのキャプチャ画像のデータを、レコード９０１、９０２、９０４および９０５として記録する。
【００８０】
なお、第１送信端末２０から受信した識別情報データ２０５ｃの各レコード（レコード８０１〜８０５）にＩＤ番号が付されていた場合、ＣＰＵ４０２は、識別情報データ２０５ｃの各レコード（レコード８０１〜８０５）に付されていたＩＤ番号を示す各データ（例えば図８Ｂに示したＩＤ番号８４「ＩＤ００１」〜「ＩＤ００５」の各データ）を、ＩＤ番号９５「ＩＤ００１」〜「ＩＤ００５」として、図９Ｂに示すように、各レコード（レコード９０１〜９０５）に対応づけて記録する。
【００８１】
［１−４−２．第２送信端末における伝達情報の入力］
図５のステップＳ５０４において、第１送信端末２０のＣＰＵ２０２は、上記ステップＳ５０２にて取得した複数のキャプチャ画像を、第２送信端末３０に送信する。例えば、ＣＰＵ２０２は、図７Ａまたは図７Ｂに示したレコード７０１〜７０５に基づくキャプチャ画像のデータを、第２送信端末３０に送信する。
【００８２】
第２送信端末３０のＣＰＵ３０２は、第１送信端末２０から取得したデータに基づくキャプチャ画像を、フラッシュメモリ３０５のキャプチャ画像データ３０５ｂに記録し、タッチパネルディスプレイ３０１に表示する（ステップＳ５１３）。なお、第２送信端末３０のキャプチャ画像データ３０５ｂの例は、第１送信端末２０において図７Ａまたは図７Ｂに示したものと同様である。
【００８３】
図６Ｃに示すように、ＣＰＵ３０２は、例えば、画面中央部を含むキャプチャ画像表示領域３００に、第１送信端末２０から取得したデータに基づくキャプチャ画像の一つを表示する。例えば、キャプチャ画像表示領域３００にデフォルト表示されるキャプチャ画像は、図７Ａまたは図７Ｂに示したキャプチャ画像データ２０５ｂにおけるレコード７０３に対応するキャプチャ画像とすることができる。
【００８４】
また、ＣＰＵ３０２は、キャプチャ画像表示領域３００の下部において、５つのサムネイル画像３２１〜３２５を表示する。サムネイル画像３２１〜３２５は、図７Ａまたは図７Ｂに示したキャプチャ画像データ２０５ｂにおけるレコード７０１〜７０５のそれぞれに対応するキャプチャ画像を縮小表示したものである。なお、ユーザによりサムネイル画像３２１〜３２５のいずれかが選択操作されると、ＣＰＵ３０２は、選択操作されたサムネイル画像に対応するキャプチャ画像を、キャプチャ画像表示領域３００に拡大表示することができる。
【００８５】
このように、キャプチャ画像表示領域３００に５つのサムネイル画像３２１〜３２５を表示することにより、送信端末１のユーザが第２送信端末３０のキャプチャ指示ボタン３１１を押下した時刻と、第１送信端末２０においてコンテンツを実際にキャプチャした時刻との間にタイムラグがあっても、送信端末１のユーザは、所望するタイミングのキャプチャ画像を選択することができる。また、ユーザは、５つのサムネイル画像３２１〜３２５の中から任意のキャプチャ画像を選択できるので、ユーザがキャプチャしようとした画像と、第１送信端末２０において実際にキャプチャされた画像とが異なっていても、ユーザがキャプチャしようとした画像を選択し直すことができる。
【００８６】
なお、サムネイル画像の表示数をさらに増加させて、スライド操作等によりユーザが所望のキャプチャ画像を選択できるようにすることにより、本実施形態の情報伝達システムは、ユーザの操作性をより向上させることができる。
【００８７】
第２送信端末３０のＣＰＵ３０２は、キャプチャ画像表示領域３００に表示したキャプチャ画像に重畳する伝達情報の入力を、ユーザから受け付ける（ステップＳ５１４）。例えば、ユーザは、キャプチャ画像表示領域３００に表示されたキャプチャ画像に、ユーザの指先やスタイラス等を用いて伝達情報を直接書き込む操作や、選択した画像をキャプチャ画像に付す操作等を行うことにより、伝達情報を入力することができる。
【００８８】
図６Ｃに示すように、第２送信端末３０のＣＰＵ３０２は、例えば、タッチパネルディスプレイ３０１において、キャプチャ画像表示領域３００の近傍に入力操作アイコンを複数表示する。ＣＰＵ３０２は、例えば、キャプチャ画像表示領域３００の右側に隣接させて画像選択アイコン３２６を複数表示する。ユーザは、いずれかの画像選択アイコン３２６をドラッグ・アンド・ドロップしてキャプチャ画像表示領域３００に移動させることにより、画像選択アイコン３２６の画像（例えば帽子）を伝達情報として入力することができる。
【００８９】
なお、画像選択アイコン３２６の画像を選択した場合、アイコンを示すオブジェクトの識別コードを伝達情報に含めることができる。また、アイコンを示すオブジェクトの表示位置、表示サイズ、表示色または視覚効果等の情報を伝達情報に含めることもできる。この場合、受信端末２は、アイコンを示すオブジェクトの識別コードに基づいてアイコン画像を取得する。このため、アイコン画像のデータを送受信する必要がなくなる。
【００９０】
また、図６Ｃに示すように、ＣＰＵ３０２は、例えば、画像選択アイコン３２６の右側に隣接させて、ツール選択アイコン３３１〜３３９を表示する。ユーザは、例えば、いずれかのツール選択アイコン３３１〜３３９をタップすることにより、タップしたツール選択アイコンに対応する入力操作を行うことができる。
【００９１】
例えば、鉛筆ツールを示すツール選択アイコン３３１を選択したユーザは、自由曲線による入力操作を行うことができる。例えば、線色・線種変更ツールを示すツール選択アイコン３３２を選択したユーザは、自由曲線の色や種類を変更する操作を行うことができる。例えば、消しゴムツールを示すツール選択アイコン３３３を選択したユーザは、入力した文字や図形等を消去する操作を行うことができる。
【００９２】
例えば、テキスト入力ツールを示すツール選択アイコン３３４を選択したユーザは、テキスト文字を入力する操作を行うことができる。この場合、ユーザは、タッチパネルディスプレイ３０１上に表示されたソフトウェアキーボードを使用してテキスト文字を入力可能である。なお、ユーザがテキスト入力ツールを用いてキャプチャ画像にテキスト文字を入力した場合、キャプチャ画像における入力したテキスト文字の位置情報を伝達情報に含めておくことが好ましい。これにより、受信端末２において、位置情報に基づく位置にテキスト文字を表示することができ、伝達情報を正確に伝達することができる。
【００９３】
例えば、四角形入力ツールを示すツール選択アイコン３３５を選択したユーザは、四角形を入力する操作を行うことができる。例えば、範囲選択ツールを示すツール選択アイコン３３６を選択したユーザは、キャプチャ画像において任意の範囲を選択する操作を行うことができる。
【００９４】
例えば、虫眼鏡ツールを示すツール選択アイコン３３７を選択したユーザは、キャプチャ画像を拡大または縮小させる操作を行うことができる。例えば、楕円ツールを示すツール選択アイコン３３８を選択したユーザは、楕円を入力する操作を行うことができる。例えば、色選択ツールを示すツール選択アイコン３３９を選択したユーザは、キャプチャ画像において任意の範囲に色を付す操作を行うことができる。
【００９５】
上記において説明したアイコンやツール等を用いて、ユーザは、図１０Ａに示すように、キャプチャ画像表示領域３００上に任意の伝達情報を入力することができる。この場合、伝達情報は、キャプチャ画像表示領域３００のキャプチャ画像に重畳して表示される。
【００９６】
例えば、ユーザは、図１０Ａに示すように、キャプチャ画像内の表示物体であるダンベル３３０を囲む囲み線１０１を、伝達情報として入力することができる。また、例えば、ユーザは、図１０Ａに示すように、キャプチャ画像内の表示物体であるダンベル３３０の上部に「これほしい！」を示す自由曲線を、伝達情報として入力することができる。
【００９７】
図５のステップＳ５１５において、ＣＰＵ３０２は、ユーザによる伝達情報の入力が完了したか否かを判断する。例えば、ＣＰＵ３０２は、第２送信端末３０のタッチパネルディスプレイ３０１に表示されている入力完了ボタン３１２（図１０Ａ）が、ユーザの指先またはスタイラス等で押下操作されたことを検出した場合に、伝達情報の入力が完了したと判断する。
【００９８】
伝達情報の入力が完了したと判断すると（ステップＳ５１５、Ｙｅｓ）、ＣＰＵ３０２は、入力された伝達情報のデータに、この伝達情報が重畳されたキャプチャ画像のシーン識別情報を対応づけて、フラッシュメモリ３０５の伝達情報データ３０５ｃに記録する（ステップＳ５１６）。
【００９９】
例えば、ＣＰＵ３０２は、キャプチャ画像データ３０５ｂに保持しているレコード７０３（図７Ａ）の放送局ＩＤ７１、番組ＩＤ７２および再生時刻７３の各データを組み合わせてシーン識別情報を生成し、生成したシーン識別情報を伝達情報に対応づける。具体的には、ＣＰＵ３０２は、図１１Ａに示すように、放送局ＩＤ１１１「Ｂ００１」、番組ＩＤ１１２「Ｐ１０１」、再生時刻１１３「１８：１５：０３」のデータを、伝達情報１１４の実データ「（Com001.bmp）」に対応付けて、伝達情報データ３０５ｃに記録する。なお、伝達情報が重畳される対象となったキャプチャ画像のデータ自体は、伝達情報データ３０５ｃに記録されない。
【０１００】
なお、図７Ｂに示したように、キャプチャ画像データ３０５ｂの各レコード（レコード７０１〜７０５）にＩＤ番号が付加されていた場合には、ＣＰＵ３０２は、ＩＤ番号を含むシーン識別情報を生成して、生成したシーン識別情報を伝達情報に対応付けることができる。具体的には、図１１Ｂに示すように、ＣＰＵ３０２は、図１１Ａに示した、放送局ＩＤ１１１「Ｂ００１」、番組ＩＤ１１２「Ｐ１０１」、再生時刻１１３「１８：１５：０３」に代えて、ＩＤ番号１１５「ＩＤ００３」のデータを、伝達情報１１４の実データ「（Com001.bmp）」に対応付けて、伝達情報データ３０５ｃに記録する。
【０１０１】
なお、伝達情報は静止画像データであり、例えばラスタ形式であるビットマップ画像データとすることができる。なお、伝達情報の静止画像データは、線毎に線の太さや色等を変更可能なベクタ形式とすることができる。
【０１０２】
続いて、第２送信端末３０のＣＰＵ３０２は、上記ステップＳ５１６にてシーン識別情報を対応づけた伝達情報を、受信端末２に送信する（ステップＳ５１７）。例えば、ＣＰＵ３０２は、図１１Ａまたは図１１Ｂに示した伝達情報データ３０５ｃのレコード１１００のデータを、受信端末２に送信する。よって、伝達情報が重畳される対象となったキャプチャ画像のデータ自体は、受信端末２に送信されない。
【０１０３】
［１−４−３．受信端末２における重畳画像の表示］
図５のステップＳ５３４において、受信端末２のＣＰＵ４０２は、伝達情報を第２送信端末３０から受信して記録する。例えば、ＣＰＵ４０２は、図１１Ａまたは図１１Ｂに示した伝達情報データ３０５ｃのレコード１１００のデータを第２送信端末から受信して、外部接続型ハードディスクドライブ４１１の伝達情報データ４０５ｃに記録する。なお、受信端末２の伝達情報データ４０５ｃは、第２送信端末３０において、図１１Ａまたは図１１Ｂに示したものと同様である。
【０１０４】
続いて受信端末２のＣＰＵ４０２は、上記ステップＳ５３３にてキャプチャ画像データ４０５ｂに記録したキャプチャ画像に、上記ステップＳ５３４にて受信した伝達情報を重畳させた重畳画像を生成する（ステップＳ５３５）。
【０１０５】
例えば、ＣＰＵ４０２は、囲み線１０１と、「これほしい！」を示す自由曲線１０２を示す伝達情報（例えば図１２Ａ）の静止画像データを、伝達情報データ４０５ｃから取得する。
【０１０６】
図１１Ａに示すように、伝達情報データ４０５ｃに保持されている伝達情報１１４の実データ「（Com001.bmp）」は、放送局ＩＤ１１１「Ｂ００１」、番組ＩＤ１１２「Ｐ１０１」、再生時刻１１３「１８：１５：０３」の各データに対応付けられている。このため、ＣＰＵ４０２は、放送局ＩＤ１１１「Ｂ００１」、番組ＩＤ１１２「Ｐ１０１」、再生時刻１１３「１８：１５：０３」の各データと同じデータ値に対応付けられているキャプチャ画像の実データを、キャプチャ画像データ４０５ｂから取得する。例えば、ＣＰＵ４０２は、図９Ａのレコード９０３において、放送局ＩＤ９１「Ｂ００１」、番組ＩＤ９２「Ｐ１０１」、再生時刻９３「１８：１５：０３」に対応付けられているキャプチャ画像９４の実データ「（R_Cap003.bmp）」を取得する。
【０１０７】
なお、受信端末２のＣＰＵ４０２は、ＩＤ番号を含む伝達情報を第２送信端末３０から受信した場合、伝達情報に含まれるＩＤ番号に基づいて、キャプチャ画像の実データをキャプチャ画像データ４０５ｂから取得する。具体的には、図１１Ｂに示すように、ＩＤ番号１１５「ＩＤ００３」のデータを含む伝達情報データ４０５ｃを受信した場合、ＣＰＵ４０２は、ＩＤ番号１１５「ＩＤ００３」のデータと同じデータ値に対応付けられているキャプチャ画像の実データ「（R_Cap003.bmp）」を、図９Ｂに示したキャプチャ画像データ４０５ｂのレコード９０３から取得する。この場合、受信端末２は、ＩＤ番号に基づいてキャプチャ画像を特定することができる。
【０１０８】
以上により、受信端末２のＣＰＵ４０２は、例えば、図１２Ｂに示すキャプチャ画像（R_Cap003.bmp）上に、図１２Ａに示す伝達情報（Com001.bmp）を重畳させることにより、図１２Ｃに示す重畳画像１２０を生成することができる。ここで、図１２Ｃに示した重畳画像１２０は、図１０Ａに示したキャプチャ画像表示領域３００に表示されている画像と一致している。
【０１０９】
受信端末２のＣＰＵ４０２は、生成した重畳画像を表示する（ステップＳ５３６）。ＣＰＵ４０２は、図１２Ｃに示した重畳画像１２０を受信端末２のディスプレイ４０１に表示させる。図１３Ａに示すように、ＣＰＵ４０２は、例えば、受信端末２のユーザが視聴中のコンテンツ画面１３０上に、重畳画像１２０を重畳表示させる。
【０１１０】
また、受信端末２がタブレット型端末４０を含む場合には、図１３Ｂに示すように、タブレット型端末４０のタッチパネルディスプレイ上に、重畳画像１２０を表示することができる。なお、受信端末２のタブレット型端末４０が第２送信端末３０と同様の構成（図３）である場合には、受信端末２のユーザは送信端末１のユーザに対して伝達情報を送信することができる。この場合、送信端末１のユーザと受信端末２のユーザは、視聴中のリアルタイムコンテンツのキャプチャ画像についての伝達情報を相互に交換することができ、これにより双方向のコミュニケーションを行うことができる。
【０１１１】
なお、第１送信端末２０のＣＰＵ２０２は、上記ステップＳ５０４の実行後、上記ステップＳ５０１に戻り、上記の処理（ステップＳ５０１〜Ｓ５０４）を繰り返す。第２送信端末３０のＣＰＵ３０２は、上記ステップＳ５１７の実行後、上記ステップＳ５１１に戻り、上記の処理（ステップＳ５１１〜Ｓ５１７）を繰り返す。受信端末２のＣＰＵ４０２は、上記ステップＳ５３６の実行後、上記ステップＳ５３１に戻り、上記の処理（ステップＳ５３１〜Ｓ５３６）を繰り返す。
【０１１２】
［１−５．変形例］
［１−５−１．第１の変形例］
上記において説明した情報伝達システムは、送信端末１が第１送信端末２０と第２送信端末３０の２つの装置を含む構成としたが、送信端末１は１つの装置で構成することができる。
【０１１３】
図１４は、送信端末１を１つの装置で構成した場合における情報伝達システムのシステム構成の一例を示す図である。図１４に示すように、送信端末１は、リアルタイムコンテンツ受信部１１、画像表示部１２、送信側バッファ部１３、シーン識別情報送信部１４、送信側キャプチャ画像取得部１５、伝達情報送信部１６、キャプチャ指示受付部１７、伝達情報受付部１８およびキャプチャ画像表示部１９を備える。
【０１１４】
例えば、伝達情報受付部１８は、送信端末１に接続された、ペンタブレット、液晶ペンタブレット、タッチパッド、タッチパネル、マウス、エアマウス（空間における姿勢認識が可能なマウス）、ポインタ（ディスプレイ上の位置を指定可能なポインタ）またはタッチパネル等のポインティングデバイスを用いて入力された伝達情報を受け付けることができる。なお、本変形例の送信端末１および受信端末２における各機能部は、図１等の各機能部と同様である。
【０１１５】
［１−５−２．第２の変形例］
上記において説明した情報伝達システムは、第２送信端末３０が伝達情報送信部１６を備える構成としたが、第１送信端末２０が伝達情報送信部１６を備える構成とすることもできる。
【０１１６】
図１５は、第１送信端末２０が伝達情報送信部１６を備える構成とした場合における情報伝達システムのシステム構成の一例を示す図である。図１５に示すように、第１送信端末２０は、リアルタイムコンテンツ受信部１１、画像表示部１２、送信側バッファ部１３、シーン識別情報送信部１４、送信側キャプチャ画像取得部１５および伝達情報送信部１６を備える。第２送信端末３０は、キャプチャ指示受付部１７、伝達情報受付部１８およびキャプチャ画像表示部１９を備える。なお、本変形例の第１送信端末２０、第２送信端末３０および受信端末２における各機能部は、図１等の各機能部と同様である。
【０１１７】
［１−５−３．第３の変形例］
上記において説明した情報伝達システムは、第１送信端末２０がシーン識別情報送信部１４を備える構成としたが、第２送信端末３０がシーン識別情報送信部１４を備える構成とすることもできる。
【０１１８】
図１６は、第２送信端末３０がシーン識別情報送信部１４を備える構成とした場合における情報伝達システムのシステム構成の一例を示す図である。図１６に示すように、第１送信端末２０は、リアルタイムコンテンツ受信部１１、画像表示部１２、送信側バッファ部１３および送信側キャプチャ画像取得部１５を備える。第２送信端末３０は、シーン識別情報送信部１４、伝達情報送信部１６、キャプチャ指示受付部１７、伝達情報受付部１８およびキャプチャ画像表示部１９を備える。なお、本変形例の第１送信端末２０、第２送信端末３０および受信端末２における各機能部は、図１等の各機能部と同様である。
【０１１９】
［１−５−４．第４の変形例］
上記において説明した情報伝達システムは、送信端末１および受信端末２のそれぞれが放送局３からリアルタイムコンテンツを受信する構成としたが、送信端末１および受信端末２のそれぞれが、インターネットを介してリアルタイムコンテンツを配信可能なコンテンツ配信サーバから、リアルタイムコンテンツを受信する構成とすることもできる。
【０１２０】
図１７は、コンテンツ配信サーバからリアルタイムコンテンツを受信する構成とした場合における情報伝達システムのシステム構成の一例を示す図である。図１７に示すように、第１送信端末２０のリアルタイムコンテンツ受信部１１および受信端末２のリアルタイムコンテンツ受信部２１は、コンテンツ配信サーバ４からリアルタイムコンテンツを受信することができる。この場合、リアルタイムコンテンツは、例えばストリーミング形式で配信され、複数端末における各ユーザが同時に視聴可能なコンテンツである。なお、本変形例の第１送信端末２０、第２送信端末３０および受信端末２におけるその他の各機能部は、図１等の各機能部と同様である。
【０１２１】
［１−５−５．第５の変形例］
上記において説明した情報伝達システムは、送信端末１および受信端末２のそれぞれがリングバッファ（２０３ａまたは４０３ａ）を用いて過去に表示したフレームを参照して再生時刻が１秒ずつ異なる５つのキャプチャ画像を記録する構成とした。しかし、送信端末１および受信端末２のいずれか一方または両方が、リングバッファを使用しない構成とすることができる。
【０１２２】
送信端末１がリングバッファ２０３ａを使用しない場合、ユーザからキャプチャ指示を受けたタイミングでキャプチャされた１つのキャプチャ画像に基づいて、シーン識別情報が作成される。上記構成は、例えば、ユーザがキャプチャを希望した時刻と、ユーザが第２送信端末３０のキャプチャ指示ボタン３１１を押下した時刻と、第１送信端末２０においてコンテンツを実際にキャプチャする時刻との間において、各時刻間のタイムラグが小さい場合に採用することが好ましい。
【０１２３】
受信端末２がリングバッファ４０３ａを使用しない場合、送信端末１からシーン識別情報を受信したタイミングでキャプチャされた１つのキャプチャ画像に基づいて、重畳画像が生成される。上記構成は、例えば、送信端末１と受信端末２の間の通信速度が速い場合に採用することが好ましい。
【０１２４】
［１−５−６．第６の変形例］
上記において説明した情報伝達システムは、受信端末２を１つの装置で構成したが、受信端末２を２つの装置を含む構成とすることができる。図１８Ａは、受信端末１を２つの装置で構成した場合における受信端末の構成の一例を示す図である。図１８Ａに示すように、受信端末１は、第１受信端末４０と第２受信端末５０とを含む。なお、送信端末は、上記において説明したいずれの構成であってもよい。
【０１２５】
例えば、第１受信端末４０は、図４と同様のハードウェア構成を有するテレビ受像機である。なお、第１受信端末４０は、テレビジョン放送を受信可能なチューナーを内蔵したデバイス装置（例えばディスク録画再生装置等）とすることができる。なお、第１受信端末４０は、例えばケーブルテレビ等のネットワークを介してテレビジョン放送を受信可能なチューナーを内蔵したデバイス装置（例えばセットトップボックスまたはディスク録画再生装置等）とすることができる。第１受信端末４０は、送信端末１および第２受信端末５０と通信可能である。
【０１２６】
例えば、第２受信端末５０は、図３と同様のハードウェア構成を有するタブレット型端末である。なお、第２受信端末５０は、タッチパネルディスプレイ等を備えたスマートフォンとすることができる。第２受信端末５０は、送信端末１および第１受信端末４０と通信可能である。
【０１２７】
図１８Ａに示すように、第１受信端末４０は、リアルタイムコンテンツ受信部２１、画像表示部２２、受信側バッファ部２３、受信側キャプチャ画像取得部２５およびシーン識別情報受信部２７を備える。第２受信端末５０は、画像重畳部２４、画像表示部（重畳画像表示部）２８および伝達情報受信部２６を備える。
【０１２８】
第２受信端末５０における画像表示部２８は、画像重畳部２４が生成した重畳画像を表示させることができる。また、画像表示部２８は、リアルタイムコンテンツ受信部２１が受信したコンテンツの画像（例えば動画）を表示させて、受信端末２のユーザにコンテンツを視聴させることもできる。なお、本変形例の送信端末１および受信端末２におけるその他の各機能部は、図１等の各機能部と同様である。
【０１２９】
［１−５−７．第７の変形例］
上記において説明した第６の変形例の情報伝達システムは、第２受信端末５０が伝達情報受信部２６を備える構成としたが、第１受信端末４０が伝達情報受信部２６を備える構成とすることもできる。
【０１３０】
図１８Ｂは、第１受信端末４０が伝達情報受信部２６を備える構成とした場合における受信端末の構成の一例を示す図である。図１８Ｂに示すように、第１受信端末４０は、リアルタイムコンテンツ受信部２１、画像表示部２２、受信側バッファ部２３、受信側キャプチャ画像取得部２５、シーン識別情報受信部２７および伝達情報受信部２６を備える。第２受信端末５０は、画像重畳部２４および画像表示部２８を備える。なお、本変形例の送信端末１、第１受信端末４０および第２受信端末５０における各機能部は、図１および図１８Ａ等の各機能部と同様である。
【０１３１】
［１−５−８．第８の変形例］
上記において説明した第６の変形例の情報伝達システムは、第１受信端末４０がシーン識別情報受信部２７を備える構成としたが、第２受信端末５０がシーン識別情報受信部２７を備える構成とすることもできる。
【０１３２】
図１８Ｃは、第２受信端末４０がシーン識別情報受信部２７を備える構成とした場合における受信端末の構成の一例を示す図である。図１８Ｃに示すように、第１受信端末４０は、リアルタイムコンテンツ受信部２１、画像表示部２２、受信側バッファ部２３および受信側キャプチャ画像取得部２５を備える。第２受信端末５０は、シーン識別情報受信部２７、画像重畳部２４、画像表示部２８および伝達情報受信部２６を備える。なお、本変形例の送信端末１、第１受信端末４０および第２受信端末５０における各機能部は、図１および図１８Ａ等の各機能部と同様である。
【０１３３】
［１−５−９．第９の変形例］
上記において説明した第６の変形例の情報伝達システムは、第１受信端末４０がシーン識別情報受信部２７を備え、第２受信端末５０が伝達情報受信部２６を備える構成としたが、その逆に、第１受信端末４０が伝達情報受信部２６を備え、第２受信端末５０がシーン識別情報受信部２７を備える構成とすることもできる。
【０１３４】
図１８Ｄは、第１受信端末４０が伝達情報受信部２６を備え、第２受信端末５０がシーン識別情報受信部２７を備える構成とした場合における受信端末の構成の一例を示す図である。図１８Ｄに示すように、第１受信端末４０は、リアルタイムコンテンツ受信部２１、画像表示部２２、受信側バッファ部２３、受信側キャプチャ画像取得部２５および伝達情報受信部２６を備える。第２受信端末５０は、シーン識別情報受信部２７、画像重畳部２４および画像表示部２８を備える。なお、本変形例の送信端末１、第１受信端末４０および第２受信端末５０における各機能部は、図１および図１８Ａ等の各機能部と同様である。
【０１３５】
［１−５−１０．第１０の変形例］
上記において説明した第６の変形例〜第９の変形例の情報伝達システムは、第２受信端末５０が画像重畳部２４を備える構成としたが、第１受信端末４０が画像重畳部２４を備える構成とすることもできる。
【０１３６】
図１８Ｅは、上記第６の変形例（図１８Ｂ）における第１受信端末４０が画像重畳部２４を備える構成とした場合における受信端末の構成の一例を示す図である。図１８Ｅに示すように、第１受信端末４０は、リアルタイムコンテンツ受信部２１、画像表示部２２、受信側バッファ部２３、受信側キャプチャ画像取得部２５、シーン識別情報受信部２７、伝達情報受信部２６および画像重畳部２４を備える。第２受信端末５０は、画像表示部２８を備える。また、図１８Ａ、図１８Ｃおよび図１８Ｄに示した各構成において、第１受信端末４０が画像重畳部２４を備える構成とすることもできる。なお、本変形例の送信端末１、第１受信端末４０および第２受信端末５０における各機能部は、図１および図１８Ａ等の各機能部と同様である。
【０１３７】
［１−６．まとめ］
以上説明したように、この実施形態に開示する情報伝達システムによれば、送信端末１（第１送信端末２０および第２送信端末３０）は、キャプチャ画像を送信することなく、伝達情報が重畳されたキャプチャ画像を受信端末２に表示させることができる。また、送信端末１は、キャプチャ画像を受信端末２に送信する必要がないので、送信データ量を抑制してネットワーク負荷を削減することができる。
【０１３８】
また、この実施形態に開示する情報伝達システムによれば、送信端末１が、キャプチャ画像のシーン識別情報を受信端末２に送信すると（ステップＳ５０３）、受信端末２が、受信したシーン識別情報に基づく特定シーンをキャプチャしてキャプチャ画像を記録する（ステップＳ５３３）。このため、受信端末２のユーザは、受信端末２において予め放送番組を録画しておく必要がない。これにより、受信端末２のユーザがコンテンツを録画することや、その録画したコンテンツを保持することの煩雑さを解消することができる。
【０１３９】
また、この実施形態に開示する情報伝達システムによれば、送信端末１が、シーン識別情報に対応付けた伝達情報を受信端末２に送信すると（ステップＳ５１７）、受信端末２が、受信したシーン識別情報に基づくキャプチャ画像上に、受信した伝達情報を重畳させて、重畳画像を生成する（ステップＳ５３５）。このため、送信端末１のユーザからの伝達情報を、正確かつリアルタイムに受信端末２のユーザに伝達することができる。
【０１４０】
本実施形態において、第１送信端末２０におけるリアルタイムコンテンツ受信部１１および画像表示部１２は、一例として図５のステップＳ５０１の処理機能を含む。第１送信端末２０における送信側キャプチャ画像取得部１５は、一例として図５のステップＳ５０２の処理機能を含む。第１送信端末２０におけるシーン識別情報送信部１４は、一例として図５のステップＳ５０３の処理機能を含む。
【０１４１】
本実施形態において、第２送信端末３０におけるキャプチャ指示受付部１７は、一例として図５のステップＳ５１１の処理機能を含む。第２送信端末３０におけるキャプチャ画像表示部１９は、一例として図５のステップＳ５１３の処理機能を含む。第２送信端末３０における伝達情報受付部１８は、一例として図５のステップＳ５１４の処理機能を含む。第２送信端末３０における伝達情報送信部１６は、一例として図５のステップＳ５１７の処理機能を含む。
【０１４２】
本実施形態において、受信端末２におけるリアルタイムコンテンツ受信部２１および画像表示部２２は、一例として図５のステップＳ５３１の処理機能を含む。受信端末２におけるシーン識別情報受信部２７は、一例として図５のステップＳ５３２の処理機能を含む。受信端末２における受信側キャプチャ画像取得部２５は、一例として図５のステップＳ５３３の処理機能を含む。受信端末２における伝達情報受信部２６は、一例として図５のステップＳ５３４の処理機能を含む。受信端末２における画像重畳部２４は、一例として図５のステップＳ５３５の処理機能を含む。
【０１４３】
なお、本実施形態においては、本発明を情報伝達システムに適用した場合を一例として説明したが、本発明の適用範囲はこれに限定されるものではない。例えば、本発明の情報伝達システムをウェブシステムに適用することが可能である。この場合、送信端末１（第１送信端末２０、第２送信端末３０）および受信端末２の各機能部は、ブラウザ機能等を有するコンピュータ装置、タブレットＰＣ、タブレット、スマートフォンまたは携帯電話等で実現することができる。
【０１４４】
［２．第２の実施形態］
上記実施形態において、情報伝達システムは、送信端末１と受信端末２とがネットワークＮを介して相互に通信する構成としたが、ネットワークＮを介して送信端末１と受信端末２とにそれぞれ接続可能な管理サーバを設けた構成とすることができる。なお、本実施の形態では、上記第１の実施形態と共通する機能部または各要素については、同じ符号を付して、その重複した説明を省略する。
【０１４５】
［２−１．システム構成］
図１９は、第２の実施形態による情報伝達システムのシステム構成の一例を示す図である。このシステム構成においては、送信端末１（第１送信端末２０および第２送信端末３０）、受信端末２ａ、受信端末２ｂ、受信端末２ｃおよび管理サーバ５が、ネットワークＮを介して相互通信可能に接続されている。例えば、管理サーバ５は、コンピュータ装置である。
【０１４６】
なお、図１９において、受信端末は、受信端末２ａ、受信端末２ｂおよび受信端末２ｃの３つが記載されているが、受信端末は、１つでもよいし複数存在してもよい。また、図１９において、送信端末１と管理サーバ５は、それぞれ１つしか記載されていないが、それぞれ複数存在してもよい。
【０１４７】
［２−２．処理概要］
以下、第２の実施形態にかかる情報伝達システムの処理概要を、機能ブロック図を用いて説明する。管理サーバ５は、シーン識別情報配信部５１および伝達情報配信部５２を備える。管理サーバ５におけるシーン識別情報配信部５１は、送信端末１から受信したシーン識別情報を、受信端末２ａ、受信端末２ｂおよび受信端末２ｃのそれぞれに配信する。管理サーバ５における伝達情報配信部５２は、送信端末１から受信した伝達情報を、受信端末２ａ、受信端末２ｂおよび受信端末２ｃのそれぞれに配信する。
【０１４８】
このように、管理サーバ５は、送信端末１から受信したシーン識別情報および伝達情報を、受信端末２ｂおよび受信端末２ｃのそれぞれに配信するので、シーン識別情報に基づくキャプチャ画像および伝達情報を、送信端末１、受信端末２ａ、受信端末２ｂおよび受信端末２ｃの間で共有することができる。例えば、管理サーバ５が、ＳＮＳ（Social Network Service）サーバやチャットサーバである場合、送信端末から送信された伝達情報を介して、複数のユーザ間でコミュニケーションをとることが可能となる。
【０１４９】
［２−３．管理サーバ５のハードウェア構成］
図２０は、図１９に示した管理サーバ５を、ＣＰＵを用いて実現したハードウェア構成の一例を示す図である。管理サーバ５は、ディスプレイ６０１、ＣＰＵ６０２、ＲＡＭ６０３、キーボード／マウス６０４、ハードディスクドライブ６０５および通信回路６０６を有する。
【０１５０】
ディスプレイ６０１は、ＣＰＵ６０２の命令により出力された各種データの画像を表示することができる。ＣＰＵ６０２は、ＯＳ（図示しない）および管理サーバ制御プログラム６０５ａに基づく処理を実行することができる。メモリ６０３は、ＣＰＵ６０２にアドレス空間を提供することができる。キーボード／マウス６０４は、管理サーバ５の操作をユーザから受け付けることができる。
【０１５１】
ハードディスクドライブ６０５は、管理サーバ制御プログラム６０５ａ、シーン識別情報データ６０５ｂおよび伝達情報データ６０５ｃ等を保持することができる。管理サーバ制御プログラム６０５ａは、例えば、ＳＮＳやチャットサービスを提供可能なコミュニケーションプログラムとすることができる。
【０１５２】
なお、シーン識別情報データ２０５ｂまたは伝達情報データ６０５ｃは、メモリ６０３に保持されてもよい。通信回路６０６は、ネットワークＮ（図１９）を介して、送信端末１、受信端末２ａ、受信端末２ｂおよび受信端末２ｃ等と通信することができる。
【０１５３】
図１９に示した管理サーバ５を構成する、シーン識別情報配信部５１および伝達情報配信部５２は、一例として、ＣＰＵ６０２上において管理サーバ制御プログラム６０５ａを実行することによって実現される。シーン識別情報配信部５１が送信端末１から受信したシーン識別情報は、一例として、ハードディスクドライブ６０５のシーン識別情報データ６０５ｂに保持される。伝達情報配信部５２が送信端末１から受信した伝達情報は、一例として、ハードディスクドライブ６０５の伝達情報データ６０５ｃに保持される。
【０１５４】
［２−４．処理詳細］
図２１Ａ、図２１Ｂおよび図２２を用いて、本実施形態における処理詳細を説明する。図２１Ａおよび図２１Ｂは、それぞれ、本実施形態の情報伝達システムにおいて、送信端末１（第１送信端末２０および第２送信端末３０）が、管理サーバを経由して受信端末２ａ、受信端末２ｂおよび受信端末２ｃ（以下、単に「受信端末２」とする）に、リアルタイムコンテンツを視聴するユーザの伝達情報を伝達する場合の処理を示すフローチャートの一例を示す図である。なお、図２１Ａおよび図２１Ｂのフローチャートの処理は、第１送信端末２０および第２送信端末３０と受信端末２との間に管理サーバ５が介在して処理を行う点以外、図５に示した処理と同様である。以下においては、図５との相違点について説明する。
【０１５５】
第１送信端末２０のＣＰＵ２０２は、キャプチャ画像のシーン識別情報を管理サーバ５に送信する（ステップＳ５０３）。管理サーバ５のＣＰＵ６０２は、第１送信端末２０からシーン識別情報を受信して、ハードディスクドライブ６０５のシーン識別情報データ６０５ｂに記録する（ステップＳ５２１）。なお、シーン識別情報データ６０５ｂの例は、図８Ａまたは図８Ｂと同様である。
【０１５６】
管理サーバ５のＣＰＵ６０２は、第１送信端末２０から受信したシーン識別情報を、受信端末２に配信する（ステップＳ５２２）。受信端末２のＣＰＵ４０２は、キャプチャ画像の特定シーンを識別するためのシーン識別情報を、管理サーバ５から受信する（ステップＳ５３２ａ）。
【０１５７】
ステップＳ５１７ａにおいて、第２送信端末３０のＣＰＵ３０２は、ステップＳ５１６にてシーン識別情報を対応づけた伝達情報を、管理サーバ５に送信する。管理サーバ５のＣＰＵ６０２は、第２送信端末３０から伝達情報を受信して、ハードディスクドライブ６０５の伝達情報データ６０５ｃに記録する（ステップＳ５２３）。なお、伝達情報データ６０５ｃの例は、図１１Ａまたは図１１Ｂと同様である。
【０１５８】
管理サーバ５のＣＰＵ６０２は、第２送信端末３０から受信した伝達情報を受信端末２に送信する（ステップＳ５２４）。受信端末２のＣＰＵ４０２は、伝達情報を管理サーバ５から受信して記録する（ステップＳ５３４ａ）。
【０１５９】
ステップＳ５３６において、受信端末２のＣＰＵ４０２は、生成した重畳画像を、例えばチャット形式で表示することができる。図２２に示すように、ＣＰＵ４０２は、例えば、図１２Ｃに示した重畳画像１２０を、受信端末２のユーザが視聴中のコンテンツ画面１３０上に表示する。このときＣＰＵ４０２は、例えば「Ｃさん」を示すアイコン１４０に対応付けて、チャット形式で重畳画像１２０を表示する。
【０１６０】
なお、ＣＰＵ４０２は、例えば「Ｂさん」を示すアイコン１４１に対応付けて、画像選択アイコン３２６（図６Ｃ）で選択したアイコン画像１０３（帽子）を重畳させたキャプチャ画像１４２を、チャット形式で表示する。また、キャプチャ画像を指定することなくテキスト文字のみを入力した場合は、例えば「Ａさん」を示すアイコン１４３に対応付けて、入力されたテキスト文字「この映画おもしろいね！」１４４をチャット形式で表示する。
【０１６１】
なお、管理サーバ５のＣＰＵ６０２は、上記ステップＳ５２４の実行後、上記ステップＳ５２１に戻り、上記の処理（ステップＳ５２１〜Ｓ５２４）を繰り返す。
【０１６２】
本実施形態において、管理サーバ５におけるシーン識別情報配信部５１は、一例として図２１ＡのステップＳ５２１およびＳ５２２の処理機能を含む。管理サーバ５における伝達情報配信部５２は、一例として図２１ＢのステップＳ５２３およびＳ５２４の処理機能を含む。
【０１６３】
［２−５．その他］
本実施形態で説明した図１９においては、送信端末１（第１の送信端末２０および第２の送信端末３０）および受信端末２の構成は、第１の実施形態の図１で説明した構成と同様としたが、本実施形態は他の構成によっても適用可能である。例えば、本実施形態における送信端末１または受信端末２の構成は、第１の実施形態における第１の変形例〜第１０の変形例の構成（送信端末１（第１の送信端末２０および第２の送信端末３０）または受信端末２（第１の受信端末４０および第２の受信端末５０））とすることができる。
【０１６４】
［３．第３の実施形態］
［３−１．送受信データ］
［３−１−１．再生時刻等による紐付け］
図２３Ａは、上記実施形態において、送信端末１と受信端末２との間で送受信されるデータの関係を模式的に示す図である。
【０１６５】
図２３Ａに示すように、送信端末１は、再生時刻等を含むシーン識別情報（以下「再生時刻等２８１」とする）を受信端末２に送信する。受信端末２は、送信端末１から受信した再生時刻等２８１に基づいてキャプチャ画像２８３を取得する。
【０１６６】
また、送信端末１は、再生時刻等２８１および伝達情報２８２を受信端末２に送信する。受信端末２は、送信端末１から伝達情報２８２とともに受信した再生時刻等２８１に基づいて、上記において取得したキャプチャ画像２８３と伝達情報２８２とを紐付けることにより重畳画像を生成する。
【０１６７】
このように上記実施形態においては、送信端末１（第１送信端末２０または第２送信端末３０）および受信端末２は、再生時刻等２８１を用いて、キャプチャ画像２８３と伝達情報２８２とを紐付けている。
【０１６８】
しかしながら、キャプチャ画像２８３と伝達情報２８２とを紐付けるデータは、再生時刻等２８１に限定されるものではない。図２３Ｂ〜図２３Ｅは、それぞれ別の実施形態における、送信端末１と受信端末２との間で送受信されるデータの関係を模式的に示す図である。
【０１６９】
［３−１−２．送信端末１が発行したＩＤ番号による紐付け］
図２３Ｂに示すように、送信端末１は、ＩＤ番号を発行して、発行したＩＤ番号を含むシーン識別情報（以下「ＩＤ番号２８４」とする）を受信端末２に送信する。受信端末２は、送信端末１からＩＤ番号２８４を受信した時点でキャプチャ画像２８３を取得し、取得したキャプチャ画像２８３と受信したＩＤ番号２８４とを対応付ける。
【０１７０】
また、送信端末１は、上記において発行したＩＤ番号２８４および伝達情報２８２を受信端末２に送信する。受信端末２は、送信端末１から伝達情報２８２とともに受信したＩＤ番号２８４に基づいて、上記において取得したキャプチャ画像２８３と伝達情報２０２とを紐付けることにより重畳画像を生成する。
【０１７１】
このように、送信端末１（第１送信端末２０または第２送信端末３０）および受信端末２は、送信端末１が発行したＩＤ番号２８４を用いて、キャプチャ画像２８３と伝達情報２８２とを紐付けることができる。
【０１７２】
［３−１−３．送信端末１が発行したＩＤ番号と再生時刻等による紐付け］
図２３Ｃに示すように、送信端末１は、再生時刻等に対応づけたＩＤ番号を発行して、再生時刻等および再生時刻等に対応するＩＤ番号を含むシーン識別情報（以下「ＩＤ番号２８４」または「再生時刻等２８１」とする）を受信端末２に送信する。受信端末２は、送信端末１から受信した再生時刻等２８１に基づいてキャプチャ画像２８３を取得し、取得したキャプチャ画像２８３と受信したＩＤ番号２８４とを対応付ける。
【０１７３】
また、送信端末１は、上記において発行したＩＤ番号２８４および伝達情報２８２を受信端末２に送信する。受信端末２は、送信端末１から伝達情報２８２とともに受信したＩＤ番号２８４に基づいて、上記において取得したキャプチャ画像２８３と伝達情報２８２とを紐付けることにより重畳画像を生成する。
【０１７４】
このように、送信端末１（第１送信端末２０または第２送信端末３０）および受信端末２は、送信端末１が発行したＩＤ番号２８４を用いて、キャプチャ画像２８３と伝達情報２８２とを紐付けることができる。
【０１７５】
［３−１−４．受信端末２が発行したＩＤ番号による紐付け］
図２３Ｄに示すように、送信端末１は、キャプチャ指示を含むシーン識別情報（以下「キャプチャ指示２８５」とする）を受信端末２に送信する。受信端末２は、送信端末１からキャプチャ指示２８５を受信した時点でキャプチャ画像２８３を取得するとともに、ＩＤ番号を発行して、発行したＩＤ番号と取得したキャプチャ画像２８３とを対応付け、発行したＩＤ番号を送信端末１に送信する。つまり、送信端末１が送信するキャプチャ指示２８５は、受信端末２にキャプチャ画像を取得させるトリガーとして機能するデータ（例えば「ＴＲＧ」などの所定のコード）とすることができる。
【０１７６】
また、送信端末１は、受信端末２から受信したＩＤ番号２８４および伝達情報２８２を受信端末２に送信する。受信端末２は、送信端末１から伝達情報２８２とともに受信したＩＤ番号２８４に基づいて、上記において取得したキャプチャ画像２８３と伝達情報２８２とを紐付けることにより重畳画像を生成する。
【０１７７】
このように、送信端末１（第１送信端末２０または第２送信端末３０）および受信端末２は、受信端末２が発行したＩＤ番号２８４を用いて、キャプチャ画像２８３と伝達情報２８２とを紐付けることができる。
【０１７８】
［３−１−５．管理サーバ５が発行したＩＤ番号による紐付け］
図２３Ｅに示すように、送信端末１は、キャプチャ指示を含むシーン識別情報（以下「キャプチャ指示２８５」とする）を管理サーバ５に送信する。管理サーバ５は、送信端末１からキャプチャ指示２８５を受信した時点でＩＤ番号を発行して、発行したＩＤ番号を送信端末１および受信端末２の双方に送信する。つまり、送信端末１が送信するキャプチャ指示２８５は、管理サーバ５にＩＤ番号を発行させるトリガーとして機能するデータ（例えば「ＣＡＰ」などの所定のコード）とすることができる。
【０１７９】
また、受信端末２は、管理サーバ５からＩＤ番号２８４を受信した時点でキャプチャ画像２８３を取得し、取得したキャプチャ画像２８３と受信したＩＤ番号２８４とを対応付ける。
【０１８０】
また、送信端末１は、管理サーバ５から受信したＩＤ番号２８４および伝達情報２８２を、管理サーバ５を経由して受信端末２に送信する。受信端末２は、管理サーバ５を経由して送信端末１から伝達情報２８２とともに受信したＩＤ番号２８４に基づいて、上記において取得したキャプチャ画像２８３と伝達情報２８２とを紐付けることにより重畳画像を生成する。
【０１８１】
このように、送信端末１（第１送信端末２０または第２送信端末３０）および受信端末２は、管理サーバ５が発行したＩＤ番号２８４を用いて、キャプチャ画像２８３と伝達情報２８２とを紐付けることができる。
【０１８２】
［４．第４の実施形態］
上記実施形態においては、伝達情報をキャプチャ画像に重畳して表示させる例を説明したが、伝達情報とキャプチャ画像とを関連付けて表示させてもよい。本実施形態においては、キャプチャ画像と関連付けて表示する伝達情報が、受信側ユーザに対してクイズを出題するためのクイズ情報である例について説明する。なお、本実施の形態では、上記第１〜３の実施形態と共通する機能部または各要素については、同じ符号を付して、その重複した説明を省略する。
【０１８３】
［４−１．システム構成］
図２４は、第４の実施形態による情報伝達システムのシステム構成の一例を示す図である。このシステム構成においては、第１の実施形態と同様に、送信端末１（第１送信端末２０および第２送信端末３０）および受信端末２が、ネットワークＮを介して相互通信可能に接続されている。
【０１８４】
［４−２．処理概要］
以下、第４の実施形態にかかる情報伝達システムの処理概要を、機能ブロック図を用いて説明する。図２４における第１送信端末２０、第２送信端末３０および受信端末２の内部には、各装置に含まれる機能部を示す機能ブロック図が記載されている。
【０１８５】
第１送信端末２０は、第１の実施形態の図１に示した伝達情報送信部１６および伝達情報受付部１８に代えて、クイズ情報作成部１８１およびクイズ情報送信部１６１を備える。受信端末２は、第１の実施形態の図１に示した画像重畳部２４および伝達情報受信部２６に代えて、画像合成部２４１およびクイズ情報受信部２６１を備える。
【０１８６】
第２送信端末３０におけるクイズ情報作成部１８１は、第２送信端末３０におけるキャプチャ画像表示部１９が表示させたキャプチャ画像に関するクイズの設定入力を受け付けてクイズ情報を生成する。第２送信端末３０におけるクイズ情報送信部１６１は、第２送信端末３０におけるクイズ情報作成部１８１にて生成されたクイズ情報を受信端末２に送信する。
【０１８７】
受信端末２におけるクイズ情報受信部２６１は、第２送信端末３０におけるクイズ情報作成部１６１が設定入力を受け付けて生成したクイズ情報を、第２送信端末３０から受信する。受信端末２における画像合成部２４１は、受信端末２におけるクイズ情報受信部２６１が受信したクイズ情報と、受信端末２における受信側キャプチャ画像取得部２５が取得したキャプチャ画像とを合成して合成画像を生成する。受信端末２における画像表示部２２は、受信端末２における画像合成部２４１が生成した合成画像を表示させて、この合成画像を受信端末２のユーザに視認させる。なお、本発明において、２以上の画像を合成することは、２以上の画像を重畳することの上位概念とする。つまり、画像の合成は、画像の重畳を含む広い概念である。
【０１８８】
図２４に示したクイズ情報送信部１６１、クイズ情報作成部１８１、画像合成部２４１およびクイズ情報受信部２６１は、それぞれプログラムによって実現されるＣＰＵの機能を含むものである。
【０１８９】
［４−３．処理詳細］
図２５〜図３２を用いて、本実施形態における処理詳細を説明する。図２５および図２７は、それぞれ、本実施形態の情報伝達システムにおいて、送信端末１（第１送信端末２０および第２送信端末３０）が、受信端末２に伝達情報としてのクイズ情報を送信する場合の処理を示すフローチャートの一例を示す図である。
【０１９０】
図２６は、第２送信端末３０のタッチパネルディスプレイ３０１に表示画面を表示させた場合の一例を示す図である。図２８は、第２送信端末３０のタッチパネルディスプレイ３０１にリアルタイムコンテンツのキャプチャ画像を表示させた場合の一例を示す図である。図２９は、第２送信端末３０のタッチパネルディスプレイ３０１にクイズ設定画面を表示させた場合の一例を示す図である。図３０は、第２送信端末３０のタッチパネルディスプレイ３０１にクイズ画面を表示させた場合の一例を示す図である。図３１は、第２送信端末３０においてクイズ情報として保持される伝達情報データ３０５ｃの一例を示す図である。
【０１９１】
なお、図２５に示すフローチャートの各処理において、ステップＳ５１１ａ、Ｓ５１４ａ、Ｓ５１６ａ、Ｓ５１７ａ、Ｓ５３４ａ、Ｓ５３５ａ、Ｓ５３６ａ以外の各処理は、図５に示した処理と同様である。以下においては、図２５と図５との相違点を中心にして説明する。
【０１９２】
［４−３−１．第２送信端末におけるクイズ情報の作成］
図２５のフローチャートにおいて、第２送信端末３０のＣＰＵ３０２は、クイズ作成ボタンがユーザにより押下されたか否かを判断する（ステップＳ５１１ａ）。例えば、ＣＰＵ３０２は、第２送信端末３０のタッチパネルディスプレイ３０１に表示されているクイズ作成ボタン３１３（図２６）が、ユーザの指先またはスタイラス等で押下操作されたことを検出した場合に、クイズ作成ボタンが押下されたと判断する。
【０１９３】
クイズ作成ボタン３１３が押下されたと判断すると（ステップＳ５１１ａ、Ｙｅｓ判断）、第２送信端末３０のＣＰＵ３０２は、第１の実施形態と同様に、キャプチャ指示データを第１送信端末２０に送信する（ステップＳ５１２）。
【０１９４】
キャプチャ指示データを第１送信端末２０に送信すると、第２送信端末３０のＣＰＵ３０２は、クイズ情報作成処理を実行する（ステップＳ５１４ａ）。図２７は、クイズ情報作成処理のフローチャートの一例を示す図である。図２７のフローチャートにおいて、第２送信端末３０のＣＰＵ３０２は、画像選択画面をタッチパネルディスプレイ３０１に表示する（ステップＳ６２１）。
【０１９５】
図２８は、第２送信端末３０のタッチパネルディスプレイ３０１に画像選択画面を表示させた場合の一例を示す図である。図２８に示す画像選択画面には、画像の一部を選択するための部分選択ボタン２８０１および画像の全体を選択するための全体選択ボタン２８０２がそれぞれ表示される。部分選択ボタン２８０１を押下操作された場合、画像の一部を選択するための選択フレーム２８１１が画像上に表示される。なお、ユーザは、例えば選択フレーム２８１１のフレーム上をドラッグ操作して形状や大きさを変更することにより、所望の画像部分を選択することができる。本実施形態では、図２８に示すように、選択フレーム２８１１でキャラクターの顔部分を選択したものとして説明する。
【０１９６】
第２送信端末３０のＣＰＵ３０２は、画像選択画面において選択完了が指示されたか否かを判断する（ステップＳ６２２）。例えば、ＣＰＵ３０２は、第２送信端末３０のタッチパネルディスプレイ３０１に表示されている「次へ」ボタン２８１３（図２８）が、ユーザの指先またはスタイラス等で押下操作されたことを検出した場合、画像選択画面において選択完了が指示されたと判断する（ステップＳ６２２、Ｙｅｓ判断）。なお、「戻る」ボタン２８１２（図２８）が押下操作された場合、ＣＰＵ３０２は、ステップＳ５１１に戻って、一つ前の画面である表示画面（図２６）を表示する。
【０１９７】
図２７のステップＳ６２３において、第２送信端末３０のＣＰＵ３０２は、クイズ設定画面をタッチパネルディスプレイ３０１に表示する。図２９は、第２送信端末３０のタッチパネルディスプレイ３０１にクイズ設定画面を表示させた場合の一例を示す図である。図２９に示すクイズ設定画面には、作成しようとするクイズについて、「問題形式」に関する設定欄２９０１、「解答形式」に関する設定欄２９０２、および、「主題」に関する設定欄２９０３がそれぞれ表示される。
【０１９８】
例えば「問題形式」に関する設定欄２９０１では、問題文に完全な文章を用いる「問いかけ」形式、または、問題文に一部が欠けた文章を用いる「穴埋め」形式等をクイズの問題形式として設定可能である。なお、「問題形式」に関する設定項目は、「問いかけ」または「穴埋め」に限られない。また、「問題形式」に関する設定項目は、例えば、予め記憶しているデータから抽出したり、インターネットを介して他の装置から取得したりすることができる。
【０１９９】
また、例えば「解答形式」に関する設定欄２９０２では、４つの選択肢の中から解答を選択する「４択」形式、２つの選択肢の中から解答を選択する「２択」形式、または、解答を文字で入力する「文字入力」形式等を、クイズの解答形式として設定可能である。なお、「解答形式」に関する設定項目は、「４択」、「２択」または「文字入力」に限られない。また、「解答形式」に関する設定項目は、例えば、予め記憶しているデータから抽出したり、インターネットを介して他の装置から取得したりすることができる。
【０２００】
また、例えば「主題」に関する設定欄２９０３では、クイズの主題とするキーワードとして、「キャラクター」、「モノ」または「背景」等を設定可能である。クイズの主題とするキーワードは、例えばコンテンツ上のキャプチャ画像の位置に関連づけられたメタデータに基づいて抽出する。このため、キャプチャ画像と関連性が高いキーワードを主題の候補として提示することができる。なお、主題に関するキーワードは、予め記憶しているデータから抽出したり、インターネットを介して他の装置から取得したりすることができる。
【０２０１】
第２送信端末３０のＣＰＵ３０２は、クイズ設定画面において設定完了が指示されたか否かを判断する（ステップＳ６２４）。例えば、ＣＰＵ３０２は、第２送信端末３０のタッチパネルディスプレイ３０１に表示されている「クイズ作成」ボタン２９１２（図２９）が、ユーザの指先またはスタイラス等で押下操作されたことを検出した場合に、クイズ設定画面において設定完了が指示されたと判断する（ステップＳ６２４、Ｙｅｓ判断）。なお、「戻る」ボタン２９１１が押下操作された場合、ＣＰＵ３０２は、ステップＳ６２１に戻って、一つ前の画面である画像選択画面（図２８）を表示する。
【０２０２】
図２７のステップＳ６２５において、第２送信端末３０のＣＰＵ３０２は、上述したクイズ設定画面（図２９）において設定された各種設定データ（問題形式、解答形式および主題）に基づいてクイズ画面を生成し、生成したクイズ画面をタッチパネルディスプレイ３０１に表示する。なお、クイズ画面の生成は、各種設定データ（問題形式、解答形式および主題）を入力して、クイズ画面を自動生成することのできるクイズ生成プログラム（図示しない）を用いて行うことができる。
【０２０３】
図３０は、第２送信端末３０のタッチパネルディスプレイ３０１にクイズ画面を表示させた場合の一例を示す図である。図３０に示すクイズ画面は、例えば、問題形式が「問いかけ」（「このキャラクターの名前は？」３００２）であり、解答形式が「４択」（「『１．ジョン』、『２．ジョージ』、『３．ポール』、『４．リンゴ』」３００３）であり、主題が「キャラクター」（「このキャラクターの名前は？」３００２）である場合に作成されたクイズを示している。また、クイズ画面に表示された選択画像３００１は、ステップＳ６２１においてユーザが選択した画像と同一である。
【０２０４】
クイズ画面は、例えばコンテンツ上のキャプチャ画像の位置に関連づけられたメタデータに基づいて生成することができる。ＣＰＵ３０２は、例えばメタデータの中からキャプチャ画像の時刻に登場しているキャラクターの名前を特定し、クイズの正解の選択肢に設定する。また、ＣＰＵ３０２は、クイズの他の選択肢に関する情報を、辞書から抽出したり、インターネットを介して他の装置から取得したりすることができる。
【０２０５】
また、クイズ画面においてユーザは「修正」ボタン３０１２を押下操作することにより、クイズ画面に表示されているクイズの内容を修正することができる。例えば、修正ボタン３０１２が押下操作されると、クイズ画面が修正モードに移行して、各文字の修正入力や、画像または図形等の位置、大きさまたは範囲等の修正が適宜可能となる（ステップＳ６２６、Ｙｅｓ判断）。なお、「戻る」ボタン３０１１が押下操作された場合、ＣＰＵ３０２は、ステップＳ６２５に戻って、一つ前の画面であるクイズ設定画面（図２９）を表示する。
【０２０６】
なお、修正モードにおいては、正解の選択肢の修正ができないことが望ましい。例えば、図３０において、正解の選択肢である「２．ジョージ」の修正ができないように他の選択肢と表示態様を変えてもよい（例えば正解の選択肢を他の選択肢と異なる色で表示する等）。
【０２０７】
ユーザは「完了」ボタン３０１３を押下操作することにより、クイズ画面を完成させることができる（ステップＳ６２６、Ｎｏ判断）。ここで、クイズ画面を構成するためのデータはクイズ情報として、例えばフラッシュメモリ３０５に保持される。なお、クイズ情報はキャプチャ画像のデータ自体を含まない。
【０２０８】
ステップＳ５１４ａのクイズ情報作成処理が終了することにより、クイズ画面が完成したと判断すると、ＣＰＵ３０２は、クイズ情報のデータに、ステップＳ５０２においてキャプチャされたキャプチャ画像のシーン識別情報を対応づけて、例えばフラッシュメモリ３０５の伝達情報データ３０５ｃに記録する（ステップＳ５１６ａ）。
【０２０９】
例えば、ＣＰＵ３０２は、図３１に示すように、放送局ＩＤ１１１「Ｂ００１」、番組ＩＤ１１２「Ｐ１０１」、再生時刻１１３「１８：１５：０３」のデータを、クイズ情報１１４ａの実データ「（Quiz001.html）」に対応付けて、伝達情報データ３０５ｃに記録する。なお、上述の通り、キャプチャ画像のデータ自体は、伝達情報データ３０５ｃに記録されない。なお、クイズ情報１１４ａの実データのデータ形式は、ｈｔｍｌ以外の形式（例えばＣＳＳ（Cascading Style Sheets））でも構わない。
【０２１０】
続いて、第２送信端末３０のＣＰＵ３０２は、上記ステップＳ５１６ａにてシーン識別情報を対応づけたクイズ情報を、受信端末２に送信する（ステップＳ５１７ａ）。例えば、ＣＰＵ３０２は、図３１に示した伝達情報データ３０５ｃのレコード１１００のデータを、受信端末２に送信する。よって、クイズ情報が関連付けられる対象となったキャプチャ画像のデータ自体は、受信端末２に送信されない。
【０２１１】
［４−３−２．受信端末２におけるクイズ画像の表示］
図２５のステップＳ５３４ａにおいて、受信端末２のＣＰＵ４０２は、クイズ情報を第２送信端末３０から受信して記録する。例えば、ＣＰＵ４０２は、図３１に示した伝達情報データ３０５ｃのレコード１１００のデータを第２送信端末から受信して、外部接続型ハードディスクドライブ４１１の伝達情報データ４０５ｃに記録する。なお、受信端末２の伝達情報データ４０５ｃは、第２送信端末３０において、図３１に示したものと同様である。
【０２１２】
続いて受信端末２のＣＰＵ４０２は、上記ステップＳ５３３にてキャプチャ画像データ４０５ｂに記録したキャプチャ画像と、上記ステップＳ５３４ａにて受信したクイズ情報とを合成してクイズ画像を生成する（ステップＳ５３５ａ）。
【０２１３】
受信端末２のＣＰＵ４０２は、生成したクイズ画像を表示する（ステップＳ５３６ａ）。図３２に示すように、ＣＰＵ４０２は、例えば、受信端末２のユーザが視聴中のコンテンツ画面１３０上に、クイズ画像１２１を重畳表示させる。
【０２１４】
［４−４．変形例］
上記ステップＳ６２１（図２７）に示した画像選択の変形例として、画像に代えて、画像とともに再生されている音声や、画像上において認識可能な文字等を選択できるようにしてもよい。この場合、音声や文字等に関するクイズが作成されることになる。
【０２１５】
上記ステップＳ６２５（図２７）に示したクイズ画面の変形例として、選択肢としてコンテンツ中の画像やアイコン（例えばサムネイル化した画像）を用いるようにしてもよい。この場合、選択肢と用いる画像は、再生時刻と座標位置によって特定し、各画像の再生時刻と座標位置に関する情報をクイズ情報に含めておき、受信端末２において各画像を特定して表示するように構成すればよい。
【０２１６】
上記ステップＳ５１４ａのクイズ情報作成処理（図２７）においては、ユーザが、画像を選択し（ステップＳ６２１）、クイズ設定を入力し（ステップＳ６２３）、クイズ画面を修正する（ステップＳ６２５）ことによってクイズ画面を作成する例を説明したが、第２送信端末３０のＣＰＵ３０２が、自動的にクイズ画面を作成する構成としてもよい。この場合、ユーザは、図２６において「クイズ作成」ボタン３１３を押下操作するだけでクイズを作成することができる。また、第２送信端末３０のＣＰＵ３０２が、画像選択（ステップＳ６２１）、クイズ設定入力（ステップＳ６２３）および、クイズ画面修正（ステップＳ６２５）のうちの少なくとも１つを自動的に実行する構成としてもよい。
【０２１７】
上記ステップＳ６２１においては、選択フレーム２８１１で選択した画像をそのままクイズに利用したが、選択画像や全体画像を加工したものをクイズに用いてもよい。例えば、エッジ検出を施した画像や、第１の実施形態で示したように他の画像を重畳させた画像等をクイズに用いることができる。この場合、エッジ検出の範囲や位置の情報、重畳させる画像の情報がクイズ情報に含まれて受信端末２に送信される。
【０２１８】
また、クイズの主題に応じた広告をクイズ画面に表示するようにしてもよい。なお、上記広告はユーザが手動で設定してもよいし、ＣＰＵ３０２が自動で設定してもよい。さらに、表示する広告のリンク情報をクイズ情報に含めておき、受信端末２がリンク情報に基づいて広告を表示するようにしてもよい。
【０２１９】
［５．第５の実施形態］
上記実施形態においては、伝達情報とキャプチャ画像とを関連付けて表示させる例として、伝達情報がクイズ情報である例について説明したが、クイズ情報に代えて広告情報を作成してもよい。本実施形態においては、キャプチャ画像と関連付けて表示する伝達情報が、受信側ユーザに視聴させるための広告情報である例について説明する。なお、本実施の形態では、上記第１〜４の実施形態と共通する機能部または各要素については、同じ符号を付して、その重複した説明を省略する。
【０２２０】
［５−１．システム構成］
図３３は、第５の実施形態による情報伝達システムのシステム構成の一例を示す図である。このシステム構成においては、第１の実施形態と同様に、送信端末１（第１送信端末２０および第２送信端末３０）および受信端末２が、ネットワークＮを介して相互通信可能に接続されている。
【０２２１】
［５−２．処理概要］
以下、第５の実施形態にかかる情報伝達システムの処理概要を、機能ブロック図を用いて説明する。図３３における第１送信端末２０、第２送信端末３０および受信端末２の内部には、各装置に含まれる機能部を示す機能ブロック図が記載されている。
【０２２２】
第１送信端末２０は、第１の実施形態の図１に示した伝達情報送信部１６および伝達情報受付部１８に代えて、広告情報作成部１８２および広告情報送信部１６２を備える。受信端末２は、第１の実施形態の図１に示した画像重畳部２４および伝達情報受信部２６に代えて、画像合成部２４２および広告情報受信部２６２を備える。
【０２２３】
第２送信端末３０における広告情報作成部１８２は、第２送信端末３０におけるキャプチャ画像表示部１９が表示させたキャプチャ画像に関する広告の設定入力を受け付けて広告情報を生成する。第２送信端末３０における広告情報送信部１６２は、第２送信端末３０における広告情報作成部１８２にて生成された広告情報を受信端末２に送信する。
【０２２４】
受信端末２における広告情報受信部２６２は、第２送信端末３０における広告情報作成部１６２が設定入力を受け付けて生成した広告情報を、第２送信端末３０から受信する。受信端末２における画像合成部２４２は、受信端末２における広告情報受信部２６２が受信した広告情報と、受信端末２における受信側キャプチャ画像取得部２５が取得したキャプチャ画像とを合成して合成画像を生成する。受信端末２における画像表示部２２は、受信端末２における画像合成部２４２が生成した合成画像を表示させて、この合成画像を受信端末２のユーザに視認させる。
【０２２５】
図３３に示した広告情報送信部１６２、広告情報作成部１８２、画像合成部２４２および広告情報受信部２６２は、それぞれプログラムによって実現されるＣＰＵの機能を含むものである。
【０２２６】
［５−３．処理詳細］
図３４〜図４０を用いて、本実施形態における処理詳細を説明する。図３４および図３６は、それぞれ、本実施形態の情報伝達システムにおいて、送信端末１（第１送信端末２０および第２送信端末３０）が、受信端末２に伝達情報としての広告情報を送信する場合の処理を示すフローチャートの一例を示す図である。
【０２２７】
図３５は、第２送信端末３０のタッチパネルディスプレイ３０１に表示画面を表示させた場合の一例を示す図である。図３７は、第２送信端末３０のタッチパネルディスプレイ３０１にリアルタイムコンテンツのキャプチャ画像を表示させた場合の一例を示す図である。図３８は、第２送信端末３０のタッチパネルディスプレイ３０１に広告設定画面を表示させた場合の一例を示す図である。図３９は、第２送信端末３０のタッチパネルディスプレイ３０１に広告画面を表示させた場合の一例を示す図である。
【０２２８】
なお、図３４に示すフローチャートの各処理において、ステップＳ５１１ｂ、Ｓ５１４ｂ、Ｓ５１６ｂ、Ｓ５１７ｂ、Ｓ５３４ｂ、Ｓ５３５ｂ、Ｓ５３６ｂ以外の各処理は、図５に示した処理と同様である。以下においては、図３４と図５との相違点を中心にして説明する。
【０２２９】
［５−３−１．第２送信端末における広告情報の作成］
図３４のフローチャートにおいて、第２送信端末３０のＣＰＵ３０２は、広告作成ボタンがユーザにより押下されたか否かを判断する（ステップＳ５１１ｂ）。例えば、ＣＰＵ３０２は、第２送信端末３０のタッチパネルディスプレイ３０１に表示されている広告作成ボタン３１４（図３５）が、ユーザの指先またはスタイラス等で押下操作されたことを検出した場合に、広告作成ボタンが押下されたと判断する。
【０２３０】
広告作成ボタン３１４が押下されたと判断すると（ステップＳ５１１ｂ、Ｙｅｓ判断）、第２送信端末３０のＣＰＵ３０２は、第１の実施形態と同様に、キャプチャ指示データを第１送信端末２０に送信する（ステップＳ５１２）。
【０２３１】
キャプチャ指示データを第１送信端末２０に送信すると、第２送信端末３０のＣＰＵ３０２は、広告情報作成処理を実行する（ステップＳ５１４ｂ）。図３５は、広告情報作成処理のフローチャートの一例を示す図である。図３６のフローチャートにおいて、第２送信端末３０のＣＰＵ３０２は、画像選択画面をタッチパネルディスプレイ３０１に表示する（ステップＳ６３１）。
【０２３２】
図３７は、第２送信端末３０のタッチパネルディスプレイ３０１に画像選択画面を表示させた場合の一例を示す図である。図３７に示す画像選択画面には、第４の実施形態と同様に、画像の一部を選択するための部分選択ボタン２８０１および画像の全体を選択するための全体選択ボタン２８０２がそれぞれ表示される。部分選択ボタン２８０１を押下操作された場合、第４の実施形態と同様に、画像の一部を選択するための選択フレーム２８１１が画像上に表示される。
【０２３３】
第２送信端末３０のＣＰＵ３０２は、画像選択画面において選択完了が指示されたか否かを判断する（ステップＳ６３２）。例えば、ＣＰＵ３０２は、第２送信端末３０のタッチパネルディスプレイ３０１に表示されている「次へ」ボタン２８１３（図３７）が、ユーザの指先またはスタイラス等で押下操作されたことを検出した場合、画像選択画面において選択完了が指示されたと判断する（ステップＳ６３２、Ｙｅｓ判断）。
【０２３４】
図３６のステップＳ６３３において、第２送信端末３０のＣＰＵ３０２は、広告設定画面をタッチパネルディスプレイ３０１に表示する。図３８は、第２送信端末３０のタッチパネルディスプレイ３０１に広告設定画面を表示させた場合の一例を示す図である。図３８に示す広告設定画面には、作成しようとする広告について、「商品選択」に関する設定欄３７０１、「購入先情報」に関する設定欄３７０２、および、「クチコミ情報」に関する設定欄３７０３がそれぞれ表示される。
【０２３５】
例えば「商品選択」に関する設定欄３７０１では、例えば図３７のキャプチャ画像にかかる人物がリリースしている作品の一覧が選択可能に表示される。なお、キャプチャ画像にかかる人物は、例えばコンテンツ上のキャプチャ画像の位置に関連付けられたメタデータから特定することができる。例えばキャプチャ画像にかかる人物が歌手である場合、この歌手がリリースしている音楽ＣＤが商品選択欄に表示される。この歌手がリリースしている音楽ＣＤの情報は、例えば、予め記憶しているデータから抽出したり、インターネットを介して他の装置から取得したりすることができる。なお、「商品選択」に関する設定項目は、音楽ＣＤに限られない。
【０２３６】
また、例えば「購入先情報」に関する設定欄３７０２では、商品選択欄に表示した商品の購入先に関する情報が選択可能に表示される。なお、「購入先情報」に関する設定項目は、「ＵＲＬ１」、「ＵＲＬ２」または「ＵＲＬ３」に限られない。また、「購入先情報」に関する設定項目は、例えば、予め記憶しているデータから抽出したり、インターネットを介して他の装置から取得したりすることができる。
【０２３７】
また、例えば「クチコミ」に関する設定欄３７０３では、図３７のキャプチャ画像にかかる人物（歌手）についてのいわゆるクチコミ情報を入力可能である。なお、クチコミ情報は、予め記憶しているデータから抽出したり、インターネットを介して他の装置から取得したりすることができる。
【０２３８】
第２送信端末３０のＣＰＵ３０２は、広告設定画面において設定完了が指示されたか否かを判断する（ステップＳ６３４）。例えば、ＣＰＵ３０２は、第２送信端末３０のタッチパネルディスプレイ３０１に表示されている「広告作成」ボタン３７１２（図３８）が、ユーザの指先またはスタイラス等で押下操作されたことを検出した場合に、広告設定画面において設定完了が指示されたと判断する（ステップＳ６３４、Ｙｅｓ判断）。なお、「戻る」ボタン３７１１が押下操作された場合、ＣＰＵ３０２は、ステップＳ６３１に戻って、一つ前の画面である画像選択画面（図３７）を表示する。
【０２３９】
図３６のステップＳ６３５において、第２送信端末３０のＣＰＵ３０２は、上述した広告設定画面（図３８）において設定された各種設定データ（商品選択、購入先情報およびクチコミ情報）に基づいて広告画面を生成し、生成した広告画面をタッチパネルディスプレイ３０１に表示する。なお、広告画面の生成は、各種設定データ（商品選択、購入先情報およびクチコミ情報）を入力して、広告画面を自動生成することのできる広告生成プログラム（図示しない）を用いて行うことができる。
【０２４０】
図３９は、第２送信端末３０のタッチパネルディスプレイ３０１に広告画面を表示させた場合の一例を示す図である。図３９に示す広告画面は、例えば、商品情報が「ベスト１（Ａ子）」３８０１であり、購入先情報が「ＵＲＬ１」３８０２であり、クチコミ情報が「歌唱力がスゴイ！…」３８０３である場合に作成された広告を示している。
【０２４１】
また、第４の実施形態と同様に、広告画面においてユーザは「修正」ボタン３８１２を押下操作することにより、広告画面に表示されている広告の内容を修正することができる。例えば、修正ボタン３８１２が押下操作されると、広告画面が修正モードに移行して、各文字の修正入力や、画像または図形等の位置、大きさまたは範囲等の修正が適宜可能となる（ステップＳ６３６、Ｙｅｓ判断）。なお、「戻る」ボタン３８１１が押下操作された場合、ＣＰＵ３０２は、ステップＳ６３３に戻って、一つ前の画面である広告設定画面（図３８）を表示する。
【０２４２】
なお、修正モードにおいては、商品情報の修正ができないことが望ましい。例えば、図３８において、商品情報である「ベスト１（Ａ子）」の修正ができないようにすることが望ましい。
【０２４３】
ユーザは「完了」ボタン３８１３を押下操作することにより、広告画面を完成させることができる（ステップＳ６３６、Ｎｏ判断）。ここで、広告画面を構成するためのデータは広告情報として、例えばフラッシュメモリ３０５に保持される。
【０２４４】
ステップＳ５１４ｂの広告情報作成処理が終了することにより、広告画面が完成したと判断すると、ＣＰＵ３０２は、広告情報のデータに、ステップＳ５０２においてキャプチャされたキャプチャ画像のシーン識別情報を対応づけて、例えばフラッシュメモリ３０５の伝達情報データ３０５ｃに記録する（ステップＳ５１６ｂ）。
【０２４５】
伝達情報データ３０５ｃの例は、図３１と基本的に同様である。但し、本実施形態においては、クイズ情報１１４ａの実データ「（Quiz001.html）」に代えて、例えば広告情報１１４ｂの実データ「（Adv001.html）」を記録する。
【０２４６】
続いて、第２送信端末３０のＣＰＵ３０２は、上記ステップＳ５１６ｂにてシーン識別情報を対応づけた広告情報を、受信端末２に送信する（ステップＳ５１７ｂ）。例えば、ＣＰＵ３０２は、図３１に示した伝達情報データ３０５ｃのレコード１１００のデータを、受信端末２に送信する。よって、広告情報が関連付けられる対象となったキャプチャ画像のデータ自体は、受信端末２に送信されない。
【０２４７】
［５−３−２．受信端末２における広告画像の表示］
図３４のステップＳ５３４ｂにおいて、受信端末２のＣＰＵ４０２は、広告情報を第２送信端末３０から受信して記録する。例えば、ＣＰＵ４０２は、図３１に示した伝達情報データ３０５ｃのレコード１１００のデータを第２送信端末から受信して、外部接続型ハードディスクドライブ４１１の伝達情報データ４０５ｃに記録する。
【０２４８】
続いて受信端末２のＣＰＵ４０２は、上記ステップＳ５３３にてキャプチャ画像データ４０５ｂに記録したキャプチャ画像と、上記ステップＳ５３４ｂにて受信した広告情報とを合成して広告画像を生成する（ステップＳ５３５ｂ）。
【０２４９】
受信端末２のＣＰＵ４０２は、生成した広告画像を表示する（ステップＳ５３６ｂ）。図４０に示すように、ＣＰＵ４０２は、例えば、受信端末２のユーザが視聴中のコンテンツ画面１３０上に、広告画像１２２を重畳表示させる。
【０２５０】
受信端末２のユーザが、広告画像１２２に表示されたリンク情報（例えば「ＵＲＬ１」３８０２）を経由して実際に商品購入を行った場合には、広告画像１２２を作成した送信端末１のユーザに報酬が支払われるアフィリエイトを導入してもよい。これにより、送信端末のユーザに広告作成のための強い動機付けを与えることができる。
【０２５１】
［５−４．変形例］
上記ステップＳ６３１（図３６）に示した画像選択の変形例として、画像に代えて、画像とともに再生されている音声や、画像上において認識可能な文字等を選択できるようにしてもよい。この場合、音声や文字等に関する広告が作成されることになる。
【０２５２】
上記ステップＳ５１４ｂの広告情報作成処理（図３４）においては、ユーザが、画像を選択し（ステップＳ６３１）、広告設定を入力し（ステップＳ６２３）、広告画面を修正する（ステップＳ６３５）ことによって広告画面を作成する例を説明したが、第２送信端末３０のＣＰＵ３０２が、自動的に広告画面を作成する構成としてもよい。この場合、ユーザは、図３５において「広告作成」ボタン３１４を押下操作するだけで広告を作成することができる。また、第２送信端末３０のＣＰＵ３０２が、画像選択（ステップＳ６３１）、広告設定入力（ステップＳ６３３）および、広告画面修正（ステップＳ６３５）のうちの少なくとも１つを自動的に実行する構成としてもよい。
【０２５３】
［６．第６の実施形態］
上記実施形態においては、伝達情報とキャプチャ画像とを関連付けて表示させる例として、伝達情報がクイズ情報または広告情報である例について説明したが、クイズ情報または広告情報に代えてゲームを作成してもよい。本実施形態においては、キャプチャ画像と関連付けて表示する伝達情報が、受信側ユーザにゲームを実行させるためのゲーム情報である例について説明する。なお、本実施の形態では、上記第１〜５の実施形態と共通する機能部または各要素については、同じ符号を付して、その重複した説明を省略する。
【０２５４】
［６−１．システム構成］
図４１は、第６の実施形態による情報伝達システムのシステム構成の一例を示す図である。このシステム構成においては、第１の実施形態と同様に、送信端末１（第１送信端末２０および第２送信端末３０）および受信端末２が、ネットワークＮを介して相互通信可能に接続されている。
【０２５５】
［６−２．処理概要］
以下、第６の実施形態にかかる情報伝達システムの処理概要を、機能ブロック図を用いて説明する。図４１における第１送信端末２０、第２送信端末３０および受信端末２の内部には、各装置に含まれる機能部を示す機能ブロック図が記載されている。
【０２５６】
第１送信端末２０は、第１の実施形態の図１に示した伝達情報送信部１６および伝達情報受付部１８に代えて、ゲーム情報作成部１８３およびゲーム情報送信部１６３を備える。受信端末２は、第１の実施形態の図１に示した画像重畳部２４および伝達情報受信部２６に代えて、画像合成部２４３およびゲーム情報受信部２６３を備える。
【０２５７】
第２送信端末３０におけるゲーム情報作成部１８３は、第２送信端末３０におけるキャプチャ画像表示部１９が表示させたキャプチャ画像に関するゲームの設定入力を受け付けてゲーム情報を生成する。第２送信端末３０におけるゲーム情報送信部１６３は、第２送信端末３０におけるゲーム情報作成部１８３にて生成されたゲーム情報を受信端末２に送信する。
【０２５８】
受信端末２におけるゲーム情報受信部２６３は、第２送信端末３０におけるゲーム情報作成部１６３が設定入力を受け付けて生成したゲーム情報を、第２送信端末３０から受信する。受信端末２における画像合成部２４３は、受信端末２におけるゲーム情報受信部２６３が受信した広告情報と、受信端末２における受信側キャプチャ画像取得部２５が取得したキャプチャ画像とを合成して合成画像を生成する。受信端末２における画像表示部２２は、受信端末２における画像合成部２４２が生成した合成画像を表示させて、この合成画像を受信端末２のユーザに視認させる。
【０２５９】
図４１に示したゲーム情報送信部１６３、ゲーム情報作成部１８３、画像合成部２４３およびゲーム情報受信部２６３は、それぞれプログラムによって実現されるＣＰＵの機能を含むものである。
【０２６０】
［６−３．処理詳細］
図４２〜図４８を用いて、本実施形態における処理詳細を説明する。図４２および図４４は、それぞれ、本実施形態の情報伝達システムにおいて、送信端末１（第１送信端末２０および第２送信端末３０）が、受信端末２に伝達情報としてのゲーム情報を送信する場合の処理を示すフローチャートの一例を示す図である。
【０２６１】
図４３は、第２送信端末３０のタッチパネルディスプレイ３０１に表示画面を表示させた場合の一例を示す図である。図４５は、第２送信端末３０のタッチパネルディスプレイ３０１にリアルタイムコンテンツのキャプチャ画像を表示させた場合の一例を示す図である。図４６は、第２送信端末３０のタッチパネルディスプレイ３０１にゲーム選択画面を表示させた場合の一例を示す図である。図４７は、第２送信端末３０のタッチパネルディスプレイ３０１にゲーム画面を表示させた場合の一例を示す図である。
【０２６２】
なお、図４３に示すフローチャートの各処理において、ステップＳ５１１ｃ、Ｓ５１４ｃ、Ｓ５１６ｃ、Ｓ５１７ｃ、Ｓ５３４ｃ、Ｓ５３５ｃ、Ｓ５３６ｃ以外の各処理は、図５に示した処理と同様である。以下においては、図４３と図５との相違点を中心にして説明する。
【０２６３】
［６−３−１．第２送信端末におけるゲーム情報の作成］
図４３のフローチャートにおいて、第２送信端末３０のＣＰＵ３０２は、ゲーム作成ボタンがユーザにより押下されたか否かを判断する（ステップＳ５１１ｃ）。例えば、ＣＰＵ３０２は、第２送信端末３０のタッチパネルディスプレイ３０１に表示されているゲーム作成ボタン３１５（図４３）が、ユーザの指先またはスタイラス等で押下操作されたことを検出した場合に、ゲーム作成ボタンが押下されたと判断する。
【０２６４】
ゲーム作成ボタン３１４が押下されたと判断すると（ステップＳ５１１ｃ、Ｙｅｓ判断）、第２送信端末３０のＣＰＵ３０２は、第１の実施形態と同様に、キャプチャ指示データを第１送信端末２０に送信する（ステップＳ５１２）。
【０２６５】
キャプチャ指示データを第１送信端末２０に送信すると、第２送信端末３０のＣＰＵ３０２は、ゲーム情報作成処理を実行する（ステップＳ５１４ｃ）。図４４は、ゲーム情報作成処理のフローチャートの一例を示す図である。図４４のフローチャートにおいて、第２送信端末３０のＣＰＵ３０２は、画像選択画面をタッチパネルディスプレイ３０１に表示する（ステップＳ６４１）。
【０２６６】
図４５は、第２送信端末３０のタッチパネルディスプレイ３０１に画像選択画面を表示させた場合の一例を示す図である。図４５に示す画像選択画面には、第４の実施形態と同様に、画像の一部を選択するための部分選択ボタン２８０１および画像の全体を選択するための全体選択ボタン２８０２がそれぞれ表示される。部分選択ボタン２８０１を押下操作された場合、第４の実施形態と同様に、画像の一部を選択するための選択フレーム２８１１が画像上に表示される。
【０２６７】
第２送信端末３０のＣＰＵ３０２は、画像選択画面において選択完了が指示されたか否かを判断する（ステップＳ６４２）。例えば、ＣＰＵ３０２は、第２送信端末３０のタッチパネルディスプレイ３０１に表示されている「次へ」ボタン２８１３（図４５）が、ユーザの指先またはスタイラス等で押下操作されたことを検出した場合、画像選択画面において選択完了が指示されたと判断する（ステップＳ６４２、Ｙｅｓ判断）。
【０２６８】
図４４のステップＳ６４３において、第２送信端末３０のＣＰＵ３０２は、ゲーム選択画面をタッチパネルディスプレイ３０１に表示する。図４６は、第２送信端末３０のタッチパネルディスプレイ３０１にゲーム選択画面を表示させた場合の一例を示す図である。図４６に示すゲーム選択画面は、作成しようとするゲームの種類が選択できるように構成されている。例えばゲーム選択画面は、「１５パズル」４６０１、「間違い探し」４６０２または「神経衰弱」４６０３等の各ゲームが選択可能に構成されている。
【０２６９】
第２送信端末３０のＣＰＵ３０２は、ゲーム選択画面において選択完了が指示されたか否かを判断する（ステップＳ６３４）。例えば、ＣＰＵ３０２は、第２送信端末３０のタッチパネルディスプレイ３０１に表示されている「ゲーム作成」ボタン４６１２（図４６）が、ユーザの指先またはスタイラス等で押下操作されたことを検出した場合に、広告設定画面において設定完了が指示されたと判断する（ステップＳ６４４、Ｙｅｓ判断）。なお、「戻る」ボタン４６１１が押下操作された場合、ＣＰＵ３０２は、ステップＳ６４１に戻って、一つ前の画面である画像選択画面（図４５）を表示する。
【０２７０】
図４４のステップＳ６４５において、第２送信端末３０のＣＰＵ３０２は、上述したゲーム選択画面（図４６）において選択されたゲーム種類（「１５パズル」、「間違い探し」または「神経衰弱」）に基づいてゲーム画面を生成し、生成したゲーム画面をタッチパネルディスプレイ３０１に表示する。なお、ゲーム画面の生成は、ゲーム種類（「１５パズル」、「間違い探し」または「神経衰弱」）を入力して、ゲーム画面を自動生成することのできるゲーム生成プログラム（図示しない）を用いて行うことができる。
【０２７１】
図４７は、第２送信端末３０のタッチパネルディスプレイ３０１に広告画面を表示させた場合の一例を示す図である。図４７に示すゲーム画面は、例えば、キャプチャ画像を均等に１６のブロックに分割して右下ブロックを削除した画像４７０１を表示し、各ブロックをスライドさせて元の画像を完成させる１５パズルゲームを示している。
【０２７２】
また、第４の実施形態と同様に、ゲーム画面においてユーザは「修正」ボタン４７１２を押下操作することにより、ゲーム画面に表示されている広告の内容を修正することができる。例えば、修正ボタン４７１２が押下操作されると、ゲーム画面が修正モードに移行して、各文字の修正入力や、画像または図形等の位置、大きさまたは範囲等の修正が適宜可能となる（ステップＳ６４６、Ｙｅｓ判断）。なお、「戻る」ボタン４７１１が押下操作された場合、ＣＰＵ３０２は、ステップＳ６４３に戻って、一つ前の画面であるゲーム選択画面（図４４）を表示する。
【０２７３】
ユーザは「完了」ボタン４７１３を押下操作することにより、ゲーム画面を完成させることができる（ステップＳ６４６、Ｎｏ判断）。ここで、ゲーム画面を構成するためのデータはゲーム情報として、例えばフラッシュメモリ３０５に保持される。
【０２７４】
ステップＳ５１４ｃのゲーム情報作成処理が終了することにより、ゲーム画面が完成したと判断すると、ＣＰＵ３０２は、ゲーム情報のデータに、ステップＳ５０２においてキャプチャされたキャプチャ画像のシーン識別情報を対応づけて、例えばフラッシュメモリ３０５の伝達情報データ３０５ｃに記録する（ステップＳ５１６ｃ）。
【０２７５】
伝達情報データ３０５ｃの例は、図３１と基本的に同様である。但し、本実施形態においては、クイズ情報１１４ａの実データ「（Quiz001.html）」に代えて、例えばゲーム情報１１４ｃの実データ「（Game001.html）」を記録する。なお、ゲーム情報１１４ａの実データのデータ形式は、ｈｔｍｌ以外の形式（例えばＣＳＳ（Cascading Style Sheets）やＦｌａｓｈ）でも構わない。
【０２７６】
続いて、第２送信端末３０のＣＰＵ３０２は、上記ステップＳ５１６ｃにてシーン識別情報を対応づけた広告情報を、受信端末２に送信する（ステップＳ５１７ｃ）。例えば、ＣＰＵ３０２は、図３１に示した伝達情報データ３０５ｃのレコード１１００のデータを、受信端末２に送信する。よって、ゲーム情報が関連付けられる対象となったキャプチャ画像のデータ自体は、受信端末２に送信されない。具体的には、対象となるキャプチャ画像をどのように用いてゲーム画像を生成するかといった情報がゲーム情報に含まれて送信される。
【０２７７】
［６−３−２．受信端末２におけるゲームの表示］
図４２のステップＳ５３４ｃにおいて、受信端末２のＣＰＵ４０２は、ゲーム情報を第２送信端末３０から受信して記録する。例えば、ＣＰＵ４０２は、図３１に示した伝達情報データ３０５ｃのレコード１１００のデータを第２送信端末から受信して、外部接続型ハードディスクドライブ４１１の伝達情報データ４０５ｃに記録する。
【０２７８】
続いて受信端末２のＣＰＵ４０２は、上記ステップＳ５３３にてキャプチャ画像データ４０５ｂに記録したキャプチャ画像と、上記ステップＳ５３４ｃにて受信したゲーム情報とを合成して広告画像を生成する（ステップＳ５３５ｃ）。
【０２７９】
受信端末２のＣＰＵ４０２は、生成したゲーム画像を表示する（ステップＳ５３６ｃ）。図４８に示すように、ＣＰＵ４０２は、例えば、受信端末２のユーザが視聴中のコンテンツ画面１３０上に、ゲーム画像１２３を重畳表示させる。
【０２８０】
［６−４．変形例］
上記において、「１５パズル」のゲームの例を説明したが、キャプチャ画像を用いた他のゲームにも適用可能である。例えば、上記「間違い探し」のゲームの場合、元の画像の一部を変更した別の画像を生成し、ユーザに異なる部分を指摘させるゲームとすることができる。また、「神経衰弱」ゲームの場合、キャプチャ画像のキャラクターをトランプの絵柄に採用して、同じ絵柄のカードをめくって当てるゲームとすることができる。
【０２８１】
上記ステップＳ５１４ｃのゲーム情報作成処理（図４４）においては、ユーザが、画像を選択し（ステップＳ６４１）、ゲームを選択し（ステップＳ６４３）、ゲーム画面を修正する（ステップＳ６４５）ことによってゲーム画面を作成する例を説明したが、第２送信端末３０のＣＰＵ３０２が、自動的にゲーム画面を作成する構成としてもよい。この場合、ユーザは、図４３において「ゲーム作成」ボタン３１５を押下操作するだけでゲームを作成することができる。また、第２送信端末３０のＣＰＵ３０２が、画像選択（ステップＳ６４１）、ゲーム選択（ステップＳ６４３）および、ゲーム画面修正（ステップＳ６４５）のうちの少なくとも１つを自動的に実行する構成としてもよい。
【０２８２】
［７．その他の実施形態］
上記各実施形態において、受信端末１が複数のチューナーを有する装置（マルチチューナー対応機器）である場合、ユーザが視聴している番組に関わらず、バックグラウンドで各処理を実行することができる。また、送信端末１からシーン識別情報を受信した場合、受信側キャプチャ画像取得部２５のみを実行させておき、ユーザが対象コンテンツを視聴した場合に画像重畳部２４または画像合成部２４１を実行させるようにしてもよい。さらに、伝達情報受信部２６、クイズ情報受信部２６１、広告情報受信部２６２、ゲーム情報受信部２６３は、送信端末１からシーン識別情報を受信した場合にのみ送信端末からの伝達情報、クイズ情報、広告情報またはゲーム情報を取得するようにしてもよい。これにより、効率的な処理が可能となる。
【０２８３】
上記各実施形態においては、テレビ受像機を用いた情報伝達システムについて説明したが、送信端末１、第１送信端末２０、第２送信端末３０、受信端末２のうち少なくとも１つがレコーダ機器、タブレット端末またはスマートフォンであってもよい。
【０２８４】
上記第２の実施形態と上記第４の実施形態とを組み合わせて、ＳＮＳサーバにクイズ情報を投稿する構成としてもよい。これにより、複数のユーザ間でクイズ情報を共有し、各ユーザが各自の著作権コンテンツを利用してクイズを表示させることができる。また、ＳＮＳサーバに代えて、ホームサーバに伝達情報（例えばクイズ情報等）を記録する構成としてもよい。これにより、各ユーザは、家族間で共有するコンテンツを用いて伝達情報を（例えばクイズ等）を表示させることができる。
【０２８５】
上記実施形態においては、送信端末１において各種の伝達情報を作成する例を説明したが、伝達情報はコンテンツに応じて予め作成したものを用いてもよい。例えば、送信端末１が放送業者のサーバである場合、受信端末２に配信しているコンテンツを取得することができれば、取得したコンテンツに応じた伝達情報を送信することができる。この場合、伝達情報に記録されたシーン識別情報を受信端末２に自動送信するように構成すればよい。これにより、放送事業者側で受信端末のユーザに対するクイズ、広告、ゲームなどの情報をコンテンツの再生に合わせて配信することができ、コンテンツ配信における娯楽性を高めることができる。
【０２８６】
上記実施形態においては、図１、図１４〜図１７、図１８Ａ〜図１８Ｅ、図１９、図２４に示した各機能ブロックを、ソフトウェアを実行するＣＰＵの処理によって実現している。しかし、その一部もしくは全てを、ロジック回路等のハードウェアによって実現することができる。なお、プログラムの一部の処理をさらに、ＯＳに実行させることができる。
【０２８７】
以上、本発明の実施形態について説明したが、本発明は上述した実施形態に限るものではない。また、本発明は開示した範囲で種々の変更が可能であり、ここに開示された技術的手段または実施形態を適宜組み合わせて得られる実施形態についても本発明の技術的範囲に含まれるものである。また、本発明の実施形態に記載された効果は、本発明から生じる最も好適な効果を列挙したに過ぎず、本発明による効果は、本発明の実施形態に記載されたものに限定されるものではない。
【産業上の利用可能性】
【０２８８】
本願は、送信端末で入力された情報を受信端末に伝達する情報伝達システムに有用である。
【符号の説明】
【０２８９】
１  送信端末
２  受信端末
３  放送局
１１  リアルタイムコンテンツ受信部
１２  画像表示部
１３  送信側バッファ部
１４  シーン識別情報送信部
１５  送信側キャプチャ画像取得部
１６  伝達情報送信部
１７  キャプチャ指示受付部
１８  伝達情報受付部
１９  キャプチャ画像表示部
２０  第１送信端末
２１  リアルタイムコンテンツ受信部
２２  画像表示部
２３  受信側バッファ部
２４  画像重畳部
２５  受信側キャプチャ画像取得部
２６  伝達情報受信部
２７  シーン識別情報受信部
３０  第２送信端末
Ｎ  ネットワーク
【図１】
2013065221.tif 000003
【図２】
2013065221.tif 000004
【図３】
2013065221.tif 000005
【図４】
2013065221.tif 000006
【図５】
2013065221.tif 000007
【図６Ａ】
2013065221.tif 000008
【図６Ｂ】
2013065221.tif 000009
【図６Ｃ】
2013065221.tif 000010
【図７Ａ】
2013065221.tif 000011
【図７Ｂ】
2013065221.tif 000012
【図８Ａ】
2013065221.tif 000013
【図８Ｂ】
2013065221.tif 000014
【図９Ａ】
2013065221.tif 000015
【図９Ｂ】
2013065221.tif 000016
【図１０Ａ】
2013065221.tif 000017
【図１０Ｂ】
2013065221.tif 000018
【図１１Ａ】
2013065221.tif 000019
【図１１Ｂ】
2013065221.tif 000020
【図１２Ａ】
2013065221.tif 000021
【図１２Ｂ】
2013065221.tif 000022
【図１２Ｃ】
2013065221.tif 000023
【図１３Ａ】
2013065221.tif 000024
【図１３Ｂ】
2013065221.tif 000025
【図１４】
2013065221.tif 000026
【図１５】
2013065221.tif 000027
【図１６】
2013065221.tif 000028
【図１７】
2013065221.tif 000029
【図１８Ａ】
2013065221.tif 000030
【図１８Ｂ】
2013065221.tif 000031
【図１８Ｃ】
2013065221.tif 000032
【図１８Ｄ】
2013065221.tif 000033
【図１８Ｅ】
2013065221.tif 000034
【図１９】
2013065221.tif 000035
【図２０】
2013065221.tif 000036
【図２１Ａ】
2013065221.tif 000037
【図２１Ｂ】
2013065221.tif 000038
【図２２】
2013065221.tif 000039
【図２３Ａ】
2013065221.tif 000040
【図２３Ｂ】
2013065221.tif 000041
【図２３Ｃ】
2013065221.tif 000042
【図２３Ｄ】
2013065221.tif 000043
【図２３Ｅ】
2013065221.tif 000044
【図２４】
2013065221.tif 000045
【図２５】
2013065221.tif 000046
【図２６】
2013065221.tif 000047
【図２７】
2013065221.tif 000048
【図２８】
2013065221.tif 000049
【図２９】
2013065221.tif 000050
【図３０】
2013065221.tif 000051
【図３１】
2013065221.tif 000052
【図３２】
2013065221.tif 000053
【図３３】
2013065221.tif 000054
【図３４】
2013065221.tif 000055
【図３５】
2013065221.tif 000056
【図３６】
2013065221.tif 000057
【図３７】
2013065221.tif 000058
【図３８】
2013065221.tif 000059
【図３９】
2013065221.tif 000060
【図４０】
2013065221.tif 000061
【図４１】
2013065221.tif 000062
【図４２】
2013065221.tif 000063
【図４３】
2013065221.tif 000064
【図４４】
2013065221.tif 000065
【図４５】
2013065221.tif 000066
【図４６】
2013065221.tif 000067
【図４７】
2013065221.tif 000068
【図４８】
2013065221.tif 000069
【手続補正書】
【提出日】平成25年4月10日(2013.4.10)
【手続補正１】
【補正対象書類名】特許請求の範囲
【補正対象項目名】全文
【補正方法】変更
【補正の内容】
【特許請求の範囲】
【請求項１】
第１送信端末、第２送信端末、及び受信端末を含む情報伝達システムであって、
前記第１送信端末は、
前記第２送信端末から動画コンテンツのキャプチャ指示を受信する第１受信部と、
前記キャプチャ指示に基づいて第１キャプチャ画像を記録する第１記録部と、
前記第１キャプチャ画像を特定するシーン識別情報を前記受信端末に送信する第１送信部と、
前記第１キャプチャ画像を前記第２送信端末に送信する第２送信部と、
を備え、
前記第２送信端末は、
前記動画コンテンツのキャプチャ指示を前記第１送信端末に送信する第３送信部と、
前記第１送信端末から前記第１キャプチャ画像を受信する第２受信部と、
前記第１キャプチャ画像に関連する伝達情報の入力を受け付ける受付部と、
前記伝達情報を前記受信端末に送信する第４送信部と、
を備え、
前記受信端末は、
前記第１送信端末から前記シーン識別情報を受信する第３受信部と、
前記シーン識別情報に基づいて第２キャプチャ画像を記録する第２記録部と、
第２送信端末から前記伝達情報を受信する第４受信部と、
前記第２キャプチャ画像と前記伝達情報とを関連付けて表示する表示部と、
を備える情報伝達システム。
【請求項２】
第１送信端末、第２送信端末、第１受信端末、及び第２受信端末を含む情報伝達システムであって、
前記第１送信端末は、
前記第２送信端末から動画コンテンツのキャプチャ指示を受信する第１受信部と、
前記キャプチャ指示に基づいて第１キャプチャ画像を記録する第１記録部と、
前記第１キャプチャ画像を特定するシーン識別情報を前記第１受信端末に送信する第１送信部と、
前記第１キャプチャ画像を前記第２送信端末に送信する第２送信部と、
を備え、
前記第２送信端末は、
前記動画コンテンツのキャプチャ指示を前記第１送信端末に送信する第３送信部と、
前記第１送信端末から前記第１キャプチャ画像を受信する第２受信部と、
前記第１キャプチャ画像に関連する伝達情報の入力を受け付ける受付部と、
前記伝達情報を前記第２受信端末に送信する第４送信部と、
を備え、
前記第１受信端末は、
前記第１送信端末から前記シーン識別情報を受信する第３受信部と、
前記シーン識別情報に基づいて第２キャプチャ画像を記録する第２記録部と、
前記第２キャプチャ画像を前記第２受信端末に送信する第５送信部と、
を備え、
前記第２受信端末は、
前記第１受信端末から前記第２キャプチャ画像を受信する第５受信部と、
前記第２送信端末から前記伝達情報を受信する第４受信部と、
前記第２キャプチャ画像と前記伝達情報とを関連付けて表示する表示部と、
を備える情報伝達システム。
【請求項３】
前記第1送信端末において、
前記第１記録部は、
前記キャプチャ指示に基づいて複数のキャプチャ画像を記録し、
前記第２送信部は、
前記複数のキャプチャ画像を前記第２送信端末に送信する、
請求項１又は２に記載の情報伝達システム。
【請求項４】
第２送信端末において、
前記第２受信部は、
複数のキャプチャ画像を受信し、
前記受付部は、
前記複数のキャプチャ画像のうち少なくとも一のキャプチャ画像に関する伝達情報の入力を受け付ける、請求項１〜３のいずれか１項に記載の情報伝達システム。
【請求項５】
前記第１送信端末は、
前記動画コンテンツの画像を表示する画像表示部をさらに備え、
前記第１記録部は、前記キャプチャ指示を受信したときに前記画像表示部で表示している前記動画コンテンツの画像を前記第１キャプチャ画像として記録する、請求項１〜４のいずれか１項に記載の情報伝達システム。
【請求項６】
前記第１送信端末は、
前記動画コンテンツの画像を表示する画像表示部と、
前記画像表示部で表示した又は表示しようとする一定時間分の画像を一時的に記憶するバッファ部とを、さらに備え、
前記第１記録部は、前記第２送信端末から前記キャプチャ指示を受信したタイミングと前後するタイミングにおいて前記バッファに記憶された画像の少なくとも１つを前記第１キャプチャ画像として記録する、請求項１〜５のいずれか１項に記載の情報伝達システム。
【請求項７】
第２送信端末から動画コンテンツのキャプチャ指示を受信する第１受信部と、
前記キャプチャ指示に基づいてキャプチャ画像を記録する第１記録部と、
前記キャプチャ画像を特定するシーン識別情報を受信端末に送信する第１送信部と、
前記キャプチャ画像を前記第２送信端末に送信する第２送信部と、
を備える第１送信端末。
【請求項８】
動画コンテンツのキャプチャ指示を第１送信端末に送信する第３送信部と、
第１送信端末からキャプチャ画像を受信する第２受信部と、
前記キャプチャ画像に関連する伝達情報の入力を受け付ける受付部と、
前記伝達情報を受信端末に送信する第４送信部と、
を備える第２送信端末。
【請求項９】
第１送信端末からシーン識別情報を受信する第３受信部と、
前記シーン識別情報に基づいてキャプチャ画像を記録する第２記録部と、
第２送信端末から伝達情報を受信する第４受信部と、
前記キャプチャ画像と前記伝達情報とを関連付けて表示する表示部と、
を備える受信端末。
【請求項１０】
第１送信端末からシーン識別情報を受信する第３受信部と、
前記シーン識別情報に基づいてキャプチャ画像を記録する第２記録部と、
前記キャプチャ画像を第２受信端末に送信する第５送信部と、
を備える第１受信端末。
【請求項１１】
第１受信端末からキャプチャ画像を受信する第５受信部と、
第２送信端末から伝達情報を受信する第４受信部と、
前記キャプチャ画像と前記伝達情報とを関連付けて表示する表示部と、
を備える第２受信端末。
【請求項１２】
第１送信端末を、コンピュータを用いて実現するためのプログラムであって、
第２送信端末から動画コンテンツのキャプチャ指示を受信する第１受信処理と、
前記キャプチャ指示に基づいてキャプチャ画像を記録する第１記録処理と、
前記キャプチャ画像を特定するシーン識別情報を受信端末に送信する第１送信処理と、
前記キャプチャ画像を前記第２送信端末に送信する第２送信処理と、
をコンピュータに実行させる、プログラム。
【請求項１３】
第２送信端末を、コンピュータを用いて実現するためのプログラムであって、
動画コンテンツのキャプチャ指示を第１送信端末に送信する第３送信処理と、
第１送信端末からキャプチャ画像を受信する第２受信処理と、
前記キャプチャ画像に関連する伝達情報の入力を受け付ける受付処理と、
前記伝達情報を受信端末に送信する第４送信処理と、
をコンピュータに実行させるプログラム。
【請求項１４】
受信端末を、コンピュータを用いて実現するためのプログラムであって、
第１送信端末からシーン識別情報を受信する第３受信処理と、
前記シーン識別情報に基づいてキャプチャ画像を記録する第２記録処理と、
第２送信端末から伝達情報を受信する第４受信処理と、
前記キャプチャ画像と前記伝達情報とを関連付けて表示する表示処理と、
をコンピュータに実行させるプログラム。
【請求項１５】
第１受信端末を、コンピュータを用いて実現するためのプログラムであって、
第１送信端末からシーン識別情報を受信する第３受信処理と、
前記シーン識別情報に基づいてキャプチャ画像を記録する第２記録処理と、
前記キャプチャ画像を第２受信端末に送信する第５送信処理と、
をコンピュータに実行させるプログラム。
【請求項１６】
第２受信端末を、コンピュータを用いて実現するためのプログラムであって、
第１受信端末からキャプチャ画像を受信する第５受信処理と、
第２送信端末から伝達情報を受信する第４受信処理と、
前記キャプチャ画像と前記伝達情報とを関連付けて表示する表示処理と、
をコンピュータに実行させるプログラム。
【請求項１７】
第１送信端末が実行する情報伝達方法であって、
前記第１送信端末は、
第２送信端末から動画コンテンツのキャプチャ指示を受信する第１受信工程と、
前記キャプチャ指示に基づいてキャプチャ画像を記録する第１記録工程と、
前記キャプチャ画像を特定するシーン識別情報を受信端末に送信する第１送信工程と、
前記キャプチャ画像を前記第２送信端末に送信する第２送信工程と、
を実行する、情報伝達方法。
【請求項１８】
第２送信端末が実行する情報伝達方法であって、
前記第２送信端末は、
動画コンテンツのキャプチャ指示を第１送信端末に送信する第３送信工程と、
第１送信端末からキャプチャ画像を受信する第２受信工程と、
前記キャプチャ画像に関連する伝達情報の入力を受け付ける受付工程と、
前記伝達情報を受信端末に送信する第４送信工程と、
を実行する情報伝達方法。
【請求項１９】
受信端末が実行する情報伝達方法であって、
前記受信端末は、
第１送信端末からシーン識別情報を受信する第３受信工程と、
前記シーン識別情報に基づいてキャプチャ画像を記録する第２記録工程と、
第２送信端末から伝達情報を受信する第４受信工程と、
前記キャプチャ画像と前記伝達情報とを関連付けて表示する表示工程と、
を実行する情報伝達方法。
【請求項２０】
第１受信端末が実行する情報伝達方法であって、
前記第１受信端末は、
第１送信端末からシーン識別情報を受信する第３受信工程と、
前記シーン識別情報に基づいてキャプチャ画像を記録する第２記録工程と、
前記キャプチャ画像を第２受信端末に送信する第５送信工程と、
を実行する情報伝達方法。
【請求項２１】
第２受信端末が実行する情報伝達方法であって、
前記第２受信端末は、
第１受信端末からキャプチャ画像を受信する第５受信工程と、
第２送信端末から伝達情報を受信する第４受信工程と、
前記キャプチャ画像と前記伝達情報とを関連付けて表示する表示工程と、
を実行する情報伝達方法。
【手続補正２】
【補正対象書類名】明細書
【補正対象項目名】０００４
【補正方法】変更
【補正の内容】
【０００４】
しかし、文字や図形等がコメントとして重畳されたキャプチャ画像のデータ量が大きい場合、通信ネットワークに負荷がかかるという問題もある。
【手続補正３】
【補正対象書類名】明細書
【補正対象項目名】０００５
【補正方法】変更
【補正の内容】
【０００５】
ところで、通信処理能力の制限に関する問題の解決を目的として、送信側ユーザ端末がコメントおよびコメント入力時点の経過時刻をサーバに送信し、受信側ユーザ端末がコメントおよびコメント入力時点の経過時刻をサーバから受信して、動画再生中の画面に経過時刻に対応するコメントを表示する、動画の視聴システムが知られている（例えば特許文献１参照）。
【手続補正４】
【補正対象書類名】明細書
【補正対象項目名】００１０
【補正方法】変更
【補正の内容】
【００１０】
本発明は、上記のような点に鑑みてなされたものであり、ネットワーク負荷を削減することを前提として、送信側ユーザからのコメントを含む伝達情報を正確かつリアルタイムに受信側ユーザに伝達し、かつ、受信側ユーザ端末においてコンテンツを録画することや、その録画したコンテンツを保持することの煩雑さを解消することのできる情報伝達方法を提供することを目的とする。
【手続補正５】
【補正対象書類名】明細書
【補正対象項目名】００１６
【補正方法】変更
【補正の内容】
【００１６】
本願明細書の開示によれば、ネットワーク負荷を削減することを前提として、送信側ユーザからのコメントを含む伝達情報を正確かつリアルタイムに受信側ユーザに伝達し、かつ、受信側ユーザ端末においてコンテンツを録画することや、その録画したコンテンツを保持することの煩雑さを解消することが可能となる。
【手続補正６】
【補正対象書類名】明細書
【補正対象項目名】０２８４
【補正方法】変更
【補正の内容】
【０２８４】
上記第２の実施形態と上記第４の実施形態とを組み合わせて、ＳＮＳサーバにクイズ情報を投稿する構成としてもよい。これにより、複数のユーザ間でクイズ情報を共有することができる。また、ＳＮＳサーバに代えて、ホームサーバに伝達情報（例えばクイズ情報等）を記録する構成としてもよい。これにより、各ユーザは、家族間で共有するコンテンツを用いて伝達情報を（例えばクイズ等）を表示させることができる。
【手続補正書】
【提出日】平成25年8月30日(2013.8.30)
【手続補正１】
【補正対象書類名】特許請求の範囲
【補正対象項目名】全文
【補正方法】変更
【補正の内容】
【特許請求の範囲】
【請求項１】
第１送信端末、第２送信端末、及び受信端末を含む情報伝達システムであって、
前記第１送信端末は、
前記第２送信端末から動画コンテンツのキャプチャ指示を受信する第１受信部と、
前記キャプチャ指示に基づいて第１キャプチャ画像を記録する第１記録部と、
前記第１キャプチャ画像を特定するシーン識別情報を前記受信端末に送信する第１送信部と、
前記第１キャプチャ画像を前記第２送信端末に送信する第２送信部と、
を備え、
前記第２送信端末は、
前記動画コンテンツのキャプチャ指示を前記第１送信端末に送信する第３送信部と、
前記第１送信端末から前記第１キャプチャ画像を受信する第２受信部と、
前記第１キャプチャ画像に関連する伝達情報の入力を受け付ける受付部と、
前記伝達情報を前記受信端末に送信する第４送信部と、
を備え、
前記受信端末は、
前記第１送信端末から前記シーン識別情報を受信する第３受信部と、
前記シーン識別情報に基づいて第２キャプチャ画像を記録する第２記録部と、
第２送信端末から前記伝達情報を受信する第４受信部と、
前記第２キャプチャ画像と前記伝達情報とを関連付けて表示する表示部と、
を備え、
前記伝達情報は、前記受信端末において前記第２キャプチャ画像と前記伝達情報とを関連付けて表示する際の画像を生成するための画像生成データを含み、
前記受信端末は、前記伝達情報を受信すると、前記伝達情報の前記画像生成データに基づいて、前記第２キャプチャ画像を前記第２記録部から読み出し、前記伝達情報と関連付けて画像を生成して表示する、情報伝達システム。
【請求項２】
前記受信端末は、所定時間分の動画コンテンツを逐次更新しながら一時一時保存するリングバッファと、
前記リングバッファに一時保存された前記動画コンテンツから前記シーン識別情報によって識別されるシーンを含む画像を、前記第２キャプチャ画像として取得するキャプチャ画像取得部と、
をさらに備える、請求項１に記載の情報伝達システム。
【請求項３】
前記受信端末は、放送局から放送番組であるリアルタイムコンテンツを受信して表示する機能を備え、
前記伝達情報の前記画像生成データは、放送番組及び再生時刻を特定する情報を含み、
前記受信端末は、前記リアルタイムコンテンツの表示中に、前記画像生成データで特定される放送番組及び再生時刻に基づいて前記第２キャプチャ画像を読み出して前記伝達情報と関連付けて画像を生成して表示する、請求項１又は２に記載の情報伝達システム。
【請求項４】
前記伝達情報の前記画像生成データは、前記受信端末においてユーザからの入力を受付可能な画面を生成するための命令を含み、
前記受信端末は、前記画像生成データに基づいて、前記第２キャプチャ画像と関連付けられた前記伝達情報を、ユーザからの入力を受付可能な状態で表示する、請求項１〜３のいずれか１項に記載の情報伝達システム。
【請求項５】
前記伝達情報は、対象コンテンツを示す情報を含み、
前記受信端末は、前記伝達情報で示される対象コンテンツを受信した場合に、前記伝達情報の前記画像生成データに基づいて、前記第２キャプチャ画像を前記第２記録部から読み出し、前記伝達情報と関連付けて画像を生成して表示する、請求項１〜４のいずれか１項に記載の情報伝達システム。
【請求項６】
前記受信端末は、前記シーン識別情報を受信した場合に、前記伝達情報を取得する、請求項１〜５のいずれか１項に記載の情報伝達システム。
【請求項７】
送信端末及び受信端末を含む情報伝達システムであって、
前記送信端末は、
前記受信端末に、動画コンテンツのシーンをキャプチャさせるためのシーン識別情報を送信するシーン識別情報送信部と、
前記受信端末で前記シーン識別情報に基づいてキャプチャされたキャプチャ画像に伝達情報を関連付けて表示する際の画像を生成するための画像生成データを含む伝達情報を、前記受信端末へ送信する伝達情報送信部とを備え、
前記受信端末は、
前記シーン識別情報を受信するシーン識別情報受信部と、
前記シーン識別情報によって識別されるシーンの画像をキャプチャして記録するキャプチャ画像取得部と、
前記伝達情報を受信する伝達情報受信部と、
前記伝達情報を受信すると、前記伝達情報の前記画像生成データに基づいて、前記キャプチャし記録された画像を読み出し、前記伝達情報と関連付けて画像を生成して表示する表示部と、
を備える、情報伝達システム。
【請求項８】
複数の送信端末、複数の受信端末及びサーバを含む情報伝達システムであって、
前記送信端末は、
前記受信端末に動画コンテンツのシーンをキャプチャさせるためのシーン識別情報を、前記サーバへ送信するシーン識別情報送信部と、
前記受信端末で前記シーン識別情報に基づいてキャプチャされたキャプチャ画像に伝達情報を関連付けて表示する際の画像を生成するための画像生成データを含む伝達情報を、前記サーバへ送信する伝達情報送信部とを備え、
前記サーバは、前記シーン識別情報及び前記伝達情報を、複数の送信端末から受信し、複数の受信端末へ送信する配信部を備え、
前記受信端末は、
前記シーン識別情報を受信するシーン識別情報受信部と、
前記シーン識別情報によって識別されるシーンの画像をキャプチャし記録するキャプチャ画像取得部と、
前記伝達情報を受信する伝達情報受信部と、
前記伝達情報を受信すると、前記伝達情報の前記画像生成データに基づいて、前記キャプチャし記録された画像を読み出し、前記伝達情報とを関連付けて画像を生成して表示する表示部と、
を備える、情報伝達システム。
【請求項９】
動画コンテンツを受信して表示する機能を有する受信端末であって、
動画コンテンツのシーンをキャプチャさせるためのシーン識別情報を受信するシーン識別情報受信部と、
前記シーン識別情報によって識別されるシーンの画像をキャプチャし記録するキャプチャ画像取得部と、
前記受信端末で前記シーン識別情報に基づいてキャプチャされたキャプチャ画像に伝達情報を関連付けて表示する際の画像を生成するための画像生成データを含む伝達情報を受信する伝達情報受信部と、
前記伝達情報を受信すると、前記伝達情報の前記画像生成データに基づいて、前記キャプチャし記録された画像を読み出し、前記伝達情報とを関連付けて画像を生成し表示する表示部と、
を備える、受信端末。
【請求項１０】
所定時間分の動画コンテンツを逐次更新しながら一時一時保存するリングバッファと、
前記リングバッファに一時保存された前記動画コンテンツから前記シーン識別情報によって識別されるシーンを含む画像を、前記キャプチャ画像として取得するキャプチャ画像取得部と、
をさらに備える、請求項９に記載の受信端末。
【請求項１１】
前記受信端末は、放送局から放送番組であるリアルタイムコンテンツを受信して表示する機能を備え、
前記伝達情報の前記画像生成データは、放送番組及び再生時刻を特定する情報を含み、
前記受信端末は、前記リアルタイムコンテンツの表示中に、前記画像生成データで特定される放送番組及び再生時刻に基づいて前記キャプチャ画像を読み出して前記伝達情報と関連付けて画像を生成して表示する、請求項９又は１０に記載の受信端末。
【請求項１２】
前記伝達情報の前記画像生成データは、前記受信端末においてユーザからの入力を受付可能な画面を生成するための命令を含み、
前記受信端末は、前記画像生成データに基づいて、前記キャプチャ画像と関連付けられた前記伝達情報を、ユーザからの入力を受付可能な状態で表示する、請求項９〜１１のいずれか１項に記載の受信端末。
【請求項１３】
前記伝達情報は、対象コンテンツを示す情報を含み、
前記受信端末は、前記伝達情報で示される対象コンテンツを受信した場合に、前記伝達情報の前記画像生成データに基づいて、前記キャプチャ画像を読み出し、前記伝達情報と関連付けて画像を生成して表示する、請求項９〜１２のいずれか１項に記載の受信端末。
【請求項１４】
前記シーン識別情報を受信した場合に、前記伝達情報を取得する、請求項９〜１４のいずれか１項に記載の受信端末。
【請求項１５】
動画コンテンツを受信して表示する機能を有する受信端末に、前記動画コンテンツのシーンをキャプチャさせるためのシーン識別情報を送信するシーン識別情報送信部と、
前記受信端末で前記シーン識別情報に基づいてキャプチャされたキャプチャ画像に伝達情報を関連付けて表示する際の画像を生成するための画像生成データを含む伝達情報を、前記シーン識別情報とは別に、前記受信端末へ送信する伝達情報送信部とを備える、送信端末。
【請求項１６】
動画コンテンツを受信して表示する機能を有する受信端末のコンピュータに、
動画コンテンツのシーンをキャプチャさせるためのシーン識別情報を受信するシーン識別情報受信処理と、
前記シーン識別情報によって識別されるシーンの画像をキャプチャし記録するキャプチャ画像取得処理と、
前記受信端末で前記シーン識別情報に基づいてキャプチャされたキャプチャ画像に伝達情報を関連付けて表示する際の画像を生成するための画像生成データを含む伝達情報を受信する伝達情報受信処理と、
前記伝達情報を受信すると、前記伝達情報の前記画像生成データに基づいて、前記キャプチャし記録された画像を読み出し、前記伝達情報とを関連付けて画像を生成して表示する表示処理とを、実行させるプログラム。
【請求項１７】
送信端末のコンピュータに、
動画コンテンツを受信して表示する機能を有する受信端末に、動画コンテンツのシーンをキャプチャさせるためのシーン識別情報を送信するシーン識別情報送信処理と、
前記受信端末で前記シーン識別情報に基づいてキャプチャされたキャプチャ画像に伝達情報を関連付けて表示する際の画像を生成するための画像生成データを含む伝達情報を、前記シーン識別情報とは別に、前記受信端末へ送信する伝達情報送信処理とを実行させる、プログラム。
【国際調査報告】
2013065221.tif 000070
2013065221.tif 000071